(57)【特許請求の範囲】
【請求項１】
第１のファイル構造を含む第１情報が記録された追記型記録媒体に第２のファイル構造を含む第２情報を記録する記録装置であって、
前記記録装置は、ホスト装置とドライブ装置とを備え、
前記ホスト装置は、
前記第２情報を第１のメモリに格納する格納部と、
前記格納された第２情報を前記追記型記録媒体に記録するように、前記ドライブ装置に指示する前に、前記第２情報を前記第１のメモリから前記ドライブ装置の第２のメモリに転送する指示部と
を備え、
前記ドライブ装置は、
前記第１情報の第１のアドレス情報と前記第２情報の第２のアドレス情報とを関連付けるための関連情報を生成する生成部と、
前記追記型記録媒体に前記第２情報を記録するためのヘッド部と、
論理的な空間上で再生専用のファイル構造と同じとなるよう、前記第２のメモリからの前記格納された第２情報と、前記関連情報とを前記追記型記録媒体に記録するように、前記ヘッド部を制御する制御部と
を備え、
前記第２アドレス情報は、前記追記型記録媒体の交替領域に記録され、
前記関連情報は、前記追記型記録媒体のリードイン領域に記録され、
前記第２情報は、前記追記型記録媒体のユーザ領域に記録される、記録装置。
【請求項２】
前記第１情報は、前記第１のファイル構造を管理するファイル管理情報を含み、
前記第２情報は、前記ファイル管理情報を更新することによって生成された更新情報を、前記第２のファイル構造を管理する情報として含み、
前記生成部は、前記ファイル管理情報と前記更新情報とを関連付けるための第１関連情報を生成し、
前記制御部は、前記更新情報と前記第１関連情報とを前記追記型記録媒体に記録するように、前記ヘッド部を制御する、請求項１に記載の記録装置。
【請求項３】
前記追記型記録媒体は、少なくとも１つの第１トラックと、前記少なくとも１つの第１トラックとは異なる少なくとも１つの第２トラックとを含み、
前記少なくとも１つの第１トラックは、前記ファイル管理情報を記録するための領域であり、
前記少なくとも１つの第２トラックは、ユーザデータを記録するための領域である、請求項２に記載の記録装置。
【請求項４】
前記ホスト装置は、
前記追記型記録媒体に記録された情報の最終位置を示す最終位置情報を取得する取得部と、
前記最終位置情報に基づいて、データの記録位置を決定する決定部と
をさらに備え、
前記制御部は、前記ヘッド部が前記記録位置に前記データを記録するように、前記ヘッド部を制御する、請求項２に記載の記録装置。
【請求項５】
前記第１情報は、前記第１のファイル構造を管理するファイル管理情報を管理する管理情報をさらに含み、
前記第２情報は、前記管理情報を更新することによって生成された第１更新情報を、前記第２のファイル構造を管理するファイル管理情報を管理する情報として含み、
前記生成部は、前記管理情報と前記第１更新情報とを関連付けるための第２関連情報を生成し、
前記制御部は、前記第１更新情報と前記第２関連情報とを前記追記型記録媒体に記録するように、前記ヘッド部を制御する、請求項１に記載の記録装置。
【請求項６】
前記追記型記録媒体は、少なくとも１つの第１トラックと、前記少なくとも１つの第１トラックとは異なる少なくとも１つの第２トラックとを含み、
前記少なくとも１つの第１トラックは、前記ファイル管理情報を記録するための領域であり、
前記少なくとも１つの第２トラックは、ユーザデータを記録するための領域である、請求項５に記載の記録装置。
【請求項７】
前記ホスト装置は、
前記追記型記録媒体に記録された情報の最終位置を示す最終位置情報を取得する取得部と、
前記最終位置情報に基づいて、データの記録位置を決定する決定部と
をさらに備え、
前記制御部は、前記ヘッド部が前記記録位置に前記データを記録するように、前記ヘッド部を制御する、請求項５に記載の記録装置。
【請求項８】
第１のファイル構造を含む第１情報が記録された追記型記録媒体に第２のファイル構造を含む第２情報を記録する記録装置に備えられたホスト装置であって、
前記記録装置は、前記第１情報の第１のアドレス情報と前記第２情報の第２のアドレス情報とを関連付けるための関連情報を生成する生成部と、
前記追記型記録媒体に前記第２情報を記録するためのヘッド部と、
論理的な空間上で再生専用のファイル構造と同じとなるよう、第２のメモリからの格納された前記第２情報と、前記関連情報とを前記追記型記録媒体に記録するように、前記ヘッド部を制御する制御部とを備えたドライブ装置をさらに備え、
前記ホスト装置は、
第２のファイル構造を含む前記第２情報を第１のメモリに格納する格納部と、
前記第１のメモリからの前記格納された第２情報を前記追記型記録媒体に記録するように、前記ドライブ装置に指示する前に、前記第２情報を前記第１のメモリから前記ドライブ装置の前記第２のメモリに転送する指示部と
を備え、
前記第２アドレス情報は、前記追記型記録媒体の交替領域に記録され、
前記関連情報は、前記追記型記録媒体のリードイン領域に記録され、
前記第２情報は、前記追記型記録媒体のユーザ領域に記録される、ホスト装置。
【請求項９】
前記第１情報は、前記第１のファイル構造を管理するファイル管理情報を含み、
前記第２情報は、前記ファイル管理情報を更新することによって生成された更新情報を、前記第２のファイル構造を管理する情報として含む、請求項８に記載のホスト装置。
【請求項１０】
前記追記型記録媒体は、少なくとも１つの第１トラックと、前記少なくとも１つの第１トラックとは異なる少なくとも１つの第２トラックとを含み、
前記少なくとも１つの第１トラックは、前記ファイル管理情報を記録するための領域であり、
前記少なくとも１つの第２トラックは、ユーザデータを記録するための領域である、請求項９に記載のホスト装置。
【請求項１１】
前記ホスト装置は、
前記追記型記録媒体に記録された情報の最終位置を示す最終位置情報を取得する取得部と、
前記最終位置情報に基づいて、データの記録位置を決定する決定部と
をさらに備え、
前記ドライブ装置は、前記記録位置に前記データを記録する、請求項８に記載のホスト装置。
【請求項１２】
前記第１情報は、前記第１のファイル構造を管理するファイル管理情報を管理する管理情報をさらに含み、
前記第２情報は、前記管理情報を更新することによって生成された第１更新情報を、前記第２のファイル構造を管理するファイル管理情報を管理する情報として含む、請求項８に記載のホスト装置。
【請求項１３】
第１のファイル構造を含む第１情報が記録された追記型記録媒体に第２のファイル構造を含む第２情報を記録する記録装置に備えられたドライブ装置であって、
前記記録装置は、第２のファイル構造を含む前記第２情報を第１のメモリに格納する格納部と、
前記格納された第２情報を前記追記型記録媒体に記録するように、前記ドライブ装置に指示する前に、前記第２情報を前記第１のメモリから前記ドライブ装置の第２のメモリに転送する指示部と
を備えたホスト装置をさらに備え、
前記ドライブ装置は、
前記第１情報の第１のアドレス情報と前記第２情報の第２のアドレス情報とを関連付けるための関連情報を生成する生成部と、
前記追記型記録媒体に前記第２情報を記録するためのヘッド部と、
論理的な空間上で再生専用のファイル構造と同じとなるよう、前記第２のメモリからの前記格納された第２情報と、前記関連情報とを前記追記型記録媒体に記録するように、前記ヘッド部を制御する制御部と
を備え、
前記第２アドレス情報は、前記追記型記録媒体の交替領域に記録され、
前記関連情報は、前記追記型記録媒体のリードイン領域に記録され、
前記第２情報は、前記追記型記録媒体のユーザ領域に記録される、ドライブ装置。
【請求項１４】
前記第１情報は、前記第１のファイル構造を管理するファイル管理情報を含み、
前記第２情報は、前記ファイル管理情報を更新することによって生成された更新情報を、前記第２のファイル構造を管理する情報として含み、
前記生成部は、前記ファイル管理情報と前記更新情報とを関連付けるための第１関連情報を生成し、
前記制御部は、前記更新情報と前記第１関連情報とを前記追記型記録媒体に記録するように、前記ヘッド部を制御する、請求項１３に記載のドライブ装置。
【請求項１５】
前記追記型記録媒体は、少なくとも１つの第１トラックと、前記少なくとも１つの第１トラックとは異なる少なくとも１つの第２トラックとを含み、
前記少なくとも１つの第１トラックは、前記ファイル管理情報を記録するための領域であり、
前記少なくとも１つの第２トラックは、ユーザデータを記録するための領域である、請求項１４に記載のドライブ装置。
【請求項１６】
前記ホスト装置は、前記追記型記録媒体に記録された情報の最終位置を示す最終位置情報に基づいて、データの記録位置を決定し、
前記制御部は、前記ヘッド部が前記記録位置に前記データを記録するように、前記ヘッド部を制御する、請求項１３に記載のドライブ装置。
【請求項１７】
前記第１情報は、前記第１のファイル構造を管理するファイル管理情報を管理する管理情報をさらに含み、
前記第２情報は、前記管理情報を更新することによって生成された第１更新情報を、前記第２のファイル構造を管理するファイル管理情報を管理する情報として含み、
前記生成部は、前記管理情報と前記第１更新情報とを関連付けるための第２関連情報を生成し、
前記制御部は、前記第１更新情報と前記第２関連情報とを前記追記型記録媒体に記録するように、前記ヘッド部を制御する、請求項１３に記載のドライブ装置。
【請求項１８】
請求項１に記載の記録装置を用いて、前記第１情報が記録された前記追記型記録媒体に前記第２情報を記録する記録方法であって、
前記ホスト装置が、格納部が有する第１のメモリに格納された、第２のファイル構造を含む前記第２情報を前記追記型記録媒体に記録するように、前記ドライブ装置に指示する前に、前記第２情報を前記第１のメモリから前記ドライブ装置の第２のメモリに転送する指示ステップと、
前記ドライブ装置が、前記第１情報の第１のアドレス情報と前記第２情報の第２のアドレス情報とを関連付けるための関連情報を生成する生成ステップと、
論理的な空間上で再生専用のファイル構造と同じとなるよう、前記第２のメモリからの前記格納された第２情報と、前記関連情報とを前記追記型記録媒体に記録する記録ステップと
を包含する記録方法。
【請求項１９】
第１情報が記録された追記型記録媒体に第２情報を記録する請求項１に記載の記録装置に備えられたホスト装置によって実行される指示方法であって、
前記記録装置は、論理的な空間上で再生専用のファイル構造と同じとなるよう、前記第１情報の第１のアドレス情報と前記第２情報の第２のアドレス情報とを関連付けるための関連情報と、前記第２のメモリからの前記格納された第２情報とを前記追記型記録媒体に記録し、
前記指示方法は、前記格納された前記第２情報を前記追記型記録媒体に記録するように、前記ドライブ装置に指示する前に、前記第２情報を前記第１のメモリから前記ドライブ装置の第２のメモリに転送する指示ステップを包含する、指示方法。
【請求項２０】
第１情報が記録された追記型記録媒体に第２情報を記録する請求項１に記載の記録装置に備えられたドライブ装置によって実行される方法であって、
前記記録装置は、前記第２のファイル構造を含む前記第２情報を前記追記型記録媒体に記録するように、前記ドライブ装置に指示し、
前記方法は、
前記第１情報の第１のアドレス情報と前記第２情報の第２のアドレス情報とを関連付けるための関連情報を生成する生成ステップと、
論理的な空間上で再生専用のファイル構造と同じとなよう、前記第２のメモリからの前記格納された第２情報と、前記関連情報とを前記追記型記録媒体に記録する記録ステップと
を包含する方法。
【請求項２１】
請求項１に記載の記録装置によって実行され、第１情報が記録された追記型記録媒体に第２情報を記録する記録処理手順を実行するためのプログラムであって、
前記記録処理手順は、
前記格納された第２情報を前記追記型記録媒体に記録するように、前記ドライブ装置に指示する前に、前記第２情報を前記第１のメモリから前記ドライブ装置の第２のメモリに転送する指示ステップと、
前記第１情報の第１のアドレス情報と前記第２情報の第２のアドレス情報とを関連付けるための関連情報を生成する生成ステップと、
論理的な空間上で再生専用のファイル構造と同じとなるよう、前記第２のメモリからの前記格納された第２情報と、前記関連情報とを前記追記型記録媒体に記録する記録ステップと
を包含する、プログラム。
【請求項２２】
第１情報が記録された追記型記録媒体に第２情報を記録する請求項１に記載の記録装置に備えられたホスト装置によって指示処理手順を実行するためのプログラムであって、
前記記録装置は、論理的な空間上で再生専用のファイル構造と同じとなるよう、前記第１情報の第１のアドレス情報と前記第２情報の第２のアドレス情報とを関連付けるための関連情報と、第２のファイル構造を含む前記第２情報とを前記追記型記録媒体に記録し、
前記指示処理手順は、前記格納された第２情報を前記追記型記録媒体に記録するように、前記ドライブ装置に指示する前に、前記第２情報を前記第１のメモリから前記ドライブ装置の第２のメモリに転送する指示ステップを包含する、プログラム。
【請求項２３】
第１情報が記録された追記型記録媒体に第２情報を記録する請求項１に記載の記録装置に備えられたドライブ装置によって記録処理手順を実行するためのプログラムであって、
前記記録装置は、前記格納された第２情報を前記追記型記録媒体に記録するように、前記ドライブ装置に指示する前に、前記第２情報を前記第１のメモリから前記ドライブ装置の第２のメモリに転送し、
前記記録処理手順は、
前記第１情報の第１のアドレス情報と前記第２情報の第２のアドレス情報とを関連付けるための関連情報を生成する生成ステップと、
論理的な空間上で再生専用のファイル構造と同じとなるよう、前記第２のメモリからの前記格納された第２情報と、前記関連情報とを前記追記型記録媒体に記録する記録ステップと
を包含する、プログラム。
【請求項２４】
第１情報が記録された追記型記録媒体に第２情報を記録する請求項１に記載の記録装置に備えられた集積回路であって、
前記記録装置は、論理的な空間上で再生専用のファイル構造と同じとなるよう、前記第１情報の第１のアドレス情報と前記第２情報の第２のアドレス情報とを関連付けるための関連情報と、前記第２のメモリからの前記格納された第２情報とを前記追記型記録媒体に記録するドライブ装置をさらに備え、
前記集積回路は、前記格納された第２情報を前記追記型記録媒体に記録するように、前記ドライブ装置に指示する前に、前記第２情報を前記第１のメモリから前記ドライブ装置の第２のメモリに転送する、集積回路。
【請求項２５】
第１情報が記録された追記型記録媒体に第２情報を記録する請求項１に記載の記録装置に備えられた集積回路であって、
前記記録装置は、前記格納された第２情報を前記追記型記録媒体に記録するように、前記ドライブ装置に指示する前に、前記第２情報を前記第１のメモリから前記ドライブ装置の第２のメモリに転送するホスト装置をさらに備え、
前記集積回路は、
前記第１情報の第１のアドレス情報と前記第２情報の第２のアドレス情報とを関連付けるための関連情報を生成する生成部と、
論理的な空間上で再生専用のファイル構造と同じとなるよう、前記第２のメモリからの前記格納された第２情報と、前記関連情報とを前記追記型記録媒体に記録するように、前記ヘッド部を制御する制御部と
を備えた、集積回路。
【請求項２６】
第１のファイル構造を含む第１情報と第２のファイル構造を含む第２情報とが、論理的な空間上で再生専用のファイル構造と同じとなるよう関連情報とともに記録された追記型記録媒体から前記第２情報を再生する再生装置であって、
前記関連情報は、前記第１情報の第１のアドレス情報と前記第２情報の第２のアドレス情報とを関連付けるための情報であり、
前記第２アドレス情報は、前記追記型記録媒体の交替領域に記録され、
前記関連情報は、前記追記型記録媒体のリードイン領域に記録され、
前記第２情報は、前記追記型記録媒体のユーザ領域に記録されており、
前記再生装置は、ホスト装置とドライブ装置とを備え、
前記ホスト装置は、前記第１情報を前記追記型記録媒体から再生するように、前記ドライブ装置に指示する指示部を備え、
前記ドライブ装置は、
前記追記型記録媒体から前記第２のファイル構造を含む前記第２情報を再生するためのヘッド部と、
前記ホスト装置が、前記第１情報を前記追記型記録媒体から再生するように、前記ドライブ装置に指示した場合、前記関連情報に基づいて、前記追記型記録媒体から前記第２情報を再生するように、前記ヘッド部を制御する制御部と
を備えた、再生装置。
【請求項２７】
前記第１情報は、前記第１のファイル構造を管理するファイル管理情報を含み、
前記第２情報は、前記ファイル管理情報を更新することによって生成された更新情報を前記第２のファイル構造を管理する情報として含み、
前記追記型記録媒体には、前記ファイル管理情報と前記更新情報とを関連付けるための第１関連情報が記録されており、
前記制御部は、前記第１関連情報に基づいて、前記追記型記録媒体から前記更新情報を再生するように、前記ヘッド部を制御する、請求項２６に記載の再生装置。
【請求項２８】
前記追記型記録媒体は、少なくとも１つの第１トラックと、前記少なくとも１つの第１トラックとは異なる少なくとも１つの第２トラックとを含み、
前記少なくとも１つの第１トラックは、前記ファイル管理情報を記録するための領域であり、
前記少なくとも１つの第２トラックは、ユーザデータを記録するための領域である、請求項２７に記載の再生装置。
【請求項２９】
前記第１情報は、前記第１のファイル構造を管理するファイル管理情報を管理する管理情報をさらに含み、
前記第２情報は、前記管理情報を更新することによって生成された第１更新情報を、前記第２のファイル構造を管理するファイル管理情報を管理する情報として含み、
前記追記型記録媒体には、前記管理情報と前記第１更新情報とを関連付けるための第２関連情報が記録されており、
前記制御部は、前記第２関連情報に基づいて、前記追記型記録媒体から前記第１更新情報を再生するように、前記ヘッド部を制御する、請求項２６に記載の再生装置。
【請求項３０】
第１のファイル構造を含む第１情報と第２のファイル構造を有する第２情報とが、論理的な空間上で再生専用のファイル構造と同じとなるよう関連情報とともに記録された追記型記録媒体から前記第２情報を再生する再生装置に備えられたホスト装置であって、
前記関連情報は、前記第１情報の第１のアドレス情報と前記第２情報の第２のアドレス情報とを関連付けるための情報であり、
前記第２アドレス情報は、前記追記型記録媒体の交替領域に記録され、
前記関連情報は、前記追記型記録媒体のリードイン領域に記録され、
前記第２情報は、前記追記型記録媒体のユーザ領域に記録されており、
前記ホスト装置は、前記第１情報を前記追記型記録媒体から再生するように、前記ドライブ装置に指示する指示部を備え、
前記再生装置は、前記ホスト装置が、前記第１情報を前記追記型記録媒体から再生するように、前記ドライブ装置に指示した場合、前記関連情報に基づいて、前記追記型記録媒体から第２のファイル構造を含む前記第２情報を再生するドライブ装置を備えた、ホスト装置。
【請求項３１】
前記第１情報は、前記第１のファイル構造を管理するファイル管理情報を含み、
前記第２情報は、前記ファイル管理情報を更新することによって生成された更新情報を、前記第２のファイル構造を管理する情報として含む、請求項３０に記載のホスト装置。
【請求項３２】
前記追記型記録媒体は、少なくとも１つの第１トラックと、前記少なくとも１つの第１トラックとは異なる少なくとも１つの第２トラックとを含み、
前記少なくとも１つの第１トラックは、前記ファイル管理情報を記録するための領域であり、
前記少なくとも１つの第２トラックは、ユーザデータを記録するための領域である、請求項３１に記載のホスト装置。
【請求項３３】
前記第１情報は、前記第１のファイル構造を含むファイル管理情報を管理する管理情報をさらに含み、
前記第２情報は、前記管理情報を更新することによって生成された第１更新情報を、前記第２のファイル構造を管理するファイル管理情報を管理する情報として含む、請求項３０に記載のホスト装置。
【請求項３４】
第１のファイル構造を含む第１情報と第２のファイル構造を含む第２情報とが、論理的な空間上で再生専用のファイル構造と同じとなるよう関連情報とともに記録された追記型記録媒体から前記第２情報を再生する再生装置に備えられたドライブ装置であって、
前記関連情報は、前記第１情報の第１のアドレス情報と前記第２情報の第２のアドレス情報とを関連付けるための情報であり、
前記第２アドレス情報は、前記追記型記録媒体の交替領域に記録され、
前記関連情報は、前記追記型記録媒体のリードイン領域に記録され、
前記第２情報は、前記追記型記録媒体のユーザ領域に記録され、
前記再生装置は、前記第１情報を前記追記型記録媒体から再生するように、前記ドライブ装置に指示するホスト装置をさらに備え、
前記ドライブ装置は、
前記追記型記録媒体から第２のファイル構造を含む前記第２情報を再生するためのヘッド部と、
前記ホスト装置が、前記第１情報を前記追記型記録媒体から再生するように、前記ドライブ装置に指示した場合、前記関連情報に基づいて、前記追記型記録媒体から前記第２情報を再生するように、前記ヘッド部を制御する制御部と
を備えた、ドライブ装置。
【請求項３５】
前記第１情報は、前記第１のファイル構造を管理するファイル管理情報を含み、
前記第２情報は、前記ファイル管理情報を更新することによって生成された更新情報を、前記第２のファイル構造を管理する情報として含み、
前記追記型記録媒体には、前記ファイル管理情報と前記更新情報とを関連付けるための第１関連情報が記録されており、
前記制御部は、前記第１関連情報に基づいて、前記追記型記録媒体から前記更新情報を再生するように、前記ヘッド部を制御する、請求項３４に記載のドライブ装置。
【請求項３６】
前記追記型記録媒体は、少なくとも１つの第１トラックと、前記少なくとも１つの第１トラックとは異なる少なくとも１つの第２トラックとを含み、
前記少なくとも１つの第１トラックは、前記ファイル管理情報を記録するための領域であり、
前記少なくとも１つの第２トラックは、ユーザデータを記録するための領域である、請求項３５に記載のドライブ装置。
【請求項３７】
前記第１情報は、前記第１のファイル構造を管理するファイル管理情報を管理する管理情報をさらに含み、
前記第２情報は、前記管理情報を更新することによって生成された第１更新情報を、前記第２のファイル構造を管理するファイル管理情報を管理する情報として含み、
前記追記型記録媒体には、前記管理情報と前記第１更新情報とを関連付けるための第２関連情報が記録されており、
前記制御部は、前記第２関連情報に基づいて、前記追記型記録媒体から前記第１更新情報を再生するように、前記ヘッド部を制御する、請求項３４に記載のドライブ装置。
【請求項３８】
第１のファイル構造を含む第１情報と第２のファイル構造を含む第２情報とが、論理的な空間上で再生専用のファイル構造と同じとなるよう関連情報とともに記録された追記型記録媒体から前記第２情報を再生する再生方法であって、
前記関連情報は、前記第１情報の第１のアドレス情報と前記第２情報の第２のアドレス情報とを関連付けるための情報であり、
前記第２アドレス情報は、前記追記型記録媒体の交替領域に記録され、
前記関連情報は、前記追記型記録媒体のリードイン領域に記録され、
前記第２情報は、前記追記型記録媒体のユーザ領域に記録されており、
前記再生方法は、
前記第１情報を前記追記型記録媒体から再生するように指示する指示ステップと、
前記指示ステップが、前記第１情報を前記追記型記録媒体から再生するように指示した場合、前記関連情報に基づいて、前記追記型記録媒体から第２のファイル構造を含む前記第２情報を再生する再生ステップと
を包含する、再生方法。
【請求項３９】
第１のファイル構造を含む第１情報と第２のファイル構造を含む第２情報とが、論理的な空間上で再生専用のファイル構造と同じとなるよう関連情報とともに記録された追記型記録媒体から前記第２情報を再生する再生装置に備えられたホスト装置によって実行される指示方法であって、
前記関連情報は、前記第１情報の第１のアドレス情報と前記第２情報の第２のアドレス情報とを関連付けるための情報であり、
前記第２アドレス情報は、前記追記型記録媒体の交替領域に記録され、
前記関連情報は、前記追記型記録媒体のリードイン領域に記録され、
前記第２情報は、前記追記型記録媒体のユーザ領域に記録されており、
前記指示方法は、前記第１情報を前記追記型記録媒体から再生するように、前記ドライブ装置に指示する指示ステップを包含し、
前記指示ステップが、前記第１情報を前記追記型記録媒体から再生するように、前記ドライブ装置に指示した場合、前記再生装置は、前記関連情報に基づいて、前記追記型記録媒体から第２のファイル構造を含む前記第２情報を再生する、指示方法。
【請求項４０】
第１のファイル構造を含む第１情報と第２のファイル構造を含む第２情報とが、論理的な空間上で再生専用のファイル構造と同じとなるよう関連情報とともに記録された追記型記録媒体から前記第２情報を再生する再生装置に備えられたドライブ装置によって実行される方法であって、
前記関連情報は、前記第１情報の第１のアドレス情報と前記第２情報の第２のアドレス情報とを関連付けるための情報であり、
前記第２アドレス情報は、前記追記型記録媒体の交替領域に記録され、
前記関連情報は、前記追記型記録媒体のリードイン領域に記録され、
前記第２情報は、前記追記型記録媒体のユーザ領域に記録されており、
前記再生装置は、前記第１情報を前記追記型記録媒体から再生するように、前記ドライブ装置に指示し、
前記方法は、前記再生装置が、前記第１情報を前記追記型記録媒体から再生するように、前記ドライブ装置に指示した場合、前記関連情報に基づいて、前記追記型記録媒体から第２のファイル構造を含む前記第２情報を再生するステップを包含する方法。
【請求項４１】
第１のファイル構造を含む第１情報と第２のファイル構造を含む第２情報とが、論理的な空間上で再生専用のファイル構造と同じとなるよう関連情報とともに記録された追記型記録媒体から前記第２情報を再生する再生処理手順を再生装置によって実行するためのプログラムであって、
前記関連情報は、前記第１情報の第１のアドレス情報と前記第２情報の第２のアドレス情報とを関連付けるための情報であり、
前記第２アドレス情報は、前記追記型記録媒体の交替領域に記録され、
前記関連情報は、前記追記型記録媒体のリードイン領域に記録され、
前記第２情報は、前記追記型記録媒体のユーザ領域に記録されており、
前記再生処理手順は、
前記第１情報を前記追記型記録媒体から再生するように指示する指示ステップと、
前記指示ステップが前記第１情報を前記追記型記録媒体から再生するように指示した場合、前記関連情報に基づいて、前記追記型記録媒体から前記第２情報を再生する再生ステップと
を包含する、プログラム。
【請求項４２】
第１のファイル構造を含む第１情報と第２のファイル構造を含む第２情報とが、論理的な空間上で再生専用のファイル構造と同じとなるよう関連情報とともに記録された追記型記録媒体から前記第２情報を再生する再生装置に備えられたホスト装置によって指示処理手順を実行するためのプログラムであって、
前記関連情報は、前記第１情報の第１のアドレス情報と前記第２情報の第２のアドレス情報とを関連付けるための情報であり、
前記第２アドレス情報は、前記追記型記録媒体の交替領域に記録され、
前記関連情報は、前記追記型記録媒体のリードイン領域に記録され、
前記第２情報は、前記追記型記録媒体のユーザ領域に記録されており、
前記指示処理手順は、前記第１情報を前記追記型記録媒体から再生するように指示する指示ステップを包含し、
前記再生装置は、前記指示ステップが、前記第１情報を前記追記型記録媒体から再生するように指示した場合、前記関連情報に基づいて、前記追記型記録媒体から第２のファイル構造を含む前記第２情報を再生する、プログラム。
【請求項４３】
第１のファイル構造を含む第１情報と第２のファイル構造を含む第２情報とが論理的な空間上で再生専用のファイル構造と同じとなるよう関連情報とともに記録された追記型記録媒体から前記第２情報を再生する再生装置に備えられたドライブ装置によって再生処理手順を実行するためのプログラムであって、
前記関連情報は、前記第１情報の第１のアドレス情報と前記第２情報の第２のアドレス情報とを関連付けるための情報であり、
前記第２アドレス情報は、前記追記型記録媒体の交替領域に記録され、
前記関連情報は、前記追記型記録媒体のリードイン領域に記録され、
前記第２情報は、前記追記型記録媒体のユーザ領域に記録されており、
前記再生装置は、前記第１情報を前記追記型記録媒体から再生するように、前記ドライブ装置に指示し、
前記再生処理手順は、前記再生装置が、前記第１情報を前記追記型記録媒体から再生するように、前記ドライブ装置に指示した場合、前記関連情報に基づいて、前記追記型記録媒体から第２のファイル構造を含む前記第２情報を再生するステップを包含する、プログラム。
【請求項４４】
第１のファイル構造を含む第１情報と第２のファイル構造を含む第２情報とが、論理的な空間上で再生専用のファイル構造と同じとなるよう関連情報とともに記録された追記型記録媒体から前記第２情報を再生する再生装置に備えられた集積回路であって、
前記関連情報は、前記第１情報の第１のアドレス情報と前記第２情報の第２のアドレス情報とを関連付けるための情報であり、
前記第２アドレス情報は、前記追記型記録媒体の交替領域に記録され、
前記関連情報は、前記追記型記録媒体のリードイン領域に記録され、
前記第２情報は、前記追記型記録媒体のユーザ領域に記録されており、
前記集積回路は、前記第１情報を前記追記型記録媒体から再生するように、前記ドライブ装置に指示し、
前記再生装置は、前記集積回路が、前記第１情報を前記追記型記録媒体から再生するように、前記ドライブ装置に指示した場合、前記関連情報に基づいて、前記追記型記録媒体から第２のファイル構造を含む前記第２情報を再生するドライブ装置をさらに備えた、集積回路。
【請求項４５】
第１のファイル構造を含む第１情報と第２のファイル構造を含む第２情報とが、論理的な空間上で再生専用のファイル構造と同じとなるよう関連情報とともに記録された追記型記録媒体から前記第２情報を再生する再生装置に備えられた集積回路であって、
前記関連情報は、前記第１情報の第１のアドレス情報と前記第２情報の第２のアドレス情報とを関連付けるための情報であり、
前記第２アドレス情報は、前記追記型記録媒体の交替領域に記録され、
前記関連情報は、前記追記型記録媒体のリードイン領域に記録され、
前記第２情報は、前記追記型記録媒体のユーザ領域に記録されており、
前記再生装置は、前記第１情報を前記追記型記録媒体から再生するように、前記集積回路に指示するホスト装置をさらに備え、
前記集積回路は、前記ホスト装置が、前記第１情報を前記追記型記録媒体から再生するように、前記集積回路に指示した場合、前記関連情報に基づいて、前記追記型記録媒体から第２のファイル構造を含む前記第２情報を再生するための制御部を備えた、集積回路。
【請求項４６】
第１のファイル構造を含む第１情報と、第２のファイル構造を含む第２情報とが、論理的な空間上で再生専用のファイル構造と同じとなるよう関連情報とともに記録された追記型記録媒体であって、
該関連情報は、前記第１情報の第１のアドレス情報と前記第２情報の第２のアドレス情報とを関連付ける情報であり、
前記第２アドレス情報は、前記追記型記録媒体の交替領域に記録され、
前記関連情報は、前記追記型記録媒体のリードイン領域に記録され、
前記第２情報は、前記追記型記録媒体のユーザ領域に記録されている、追記型記録媒体。
【発明の詳細な説明】
【技術分野】
【０００１】
本発明は、第１情報が記録された追記型記録媒体に第２情報を記録する記録装置、記録装置に含まれるホスト装置およびドライブ装置、第１情報が記録された追記型記録媒体に第２情報を記録する記録方法、指示方法、記録処理手順を実行するためのプログラム、集積回路、第１情報と第２情報とが記録された追記型記録媒体から第２情報を再生する再生装置、再生装置に含まれるホスト装置およびドライブ装置、第１情報と第２情報とが記録された追記型記録媒体から第２情報を再生する再生方法、再生処理手順を実行するためのプログラムおよび追記型記録媒体に関する。
【背景技術】
【０００２】
近年、デジタルデータの記録に様々な形態の記録媒体が用いられており、中でも記録回数が１回と限られている一方、媒体の価格が安価である追記型光ディスクがよく使われるようになってきている。
【０００３】
このような光ディスクの例として、ＣＤ−ＲディスクやＤＶＤ−Ｒディスクがある。そして、ＣＤ−ＲディスクやＤＶＤ−Ｒディスクへデータを追記する手法が幾つか提案されている（例えば、特許文献１参照）。データを追記する手法としては、例えば、ＶＡＴ（Ｖｉｒｔｕａｌ  Ａｌｌｏｃａｔｉｏｎ  Ｔａｂｌｅ）方式やマルチボーダ（またはマルチセッション）方式がある。
【０００４】
ＶＡＴ方式およびマルチボーダ方式を用いてＤＶＤ−Ｒディスクにデジタルデータを記録・再生する時の動作について説明する。
【０００５】
まず、ＶＡＴを用いた追記方式について、以下に図面を参照しながら説明する。ここでは、ＤＶＤ−Ｒディスクを記録媒体の例とし、図１１に示すファイルおよびディレクトリ階層構造を記録媒体に記録する時の動作と、その結果として形成されるデータ構造について順に説明する。
【０００６】
最初に、図３２を参照してフォーマット処理について説明する。図３２は、従来の記録媒体１０１００の一例であるＤＶＤ−Ｒディスク上のフォーマット処理直後のデータを示す。
【０００７】
ＤＶＤ−Ｒディスクは、ＤＶＤ−Ｒ物理規格で規定される記録媒体である。
【０００８】
また、ＤＶＤ−Ｒファイルシステム規格で規定されたボリューム・ファイル構造を用いてファイルが記録される。ＤＶＤ−Ｒファイルシステム規格はＩＳＯ／ＩＥＣ１３３４６規格あるいはＵＤＦ（Ｕｎｉｖｅｒｓａｌ  Ｄｉｓｋ  Ｆｏｒｍａｔ）規格に準拠しており、以下の説明においてもＵＤＦ規格に規定されている構造を用いて説明を行う。
【０００９】
図３２に示すように、記録媒体１０１００のデータ領域は、リードイン領域１０１０１とボリューム空間１０１０９とを含む。ボリューム空間１０１０９は、ボリューム構造領域１０４１０と、ファイル構造／ファイル領域１０４２０と、ＶＡＴ（Ｖｉｒｔｕａｌ  Ａｌｌｏｃａｔｉｏｎ  Ｔａｂｌｅ）構造領域１０４３０とを含む。
【００１０】
ボリューム構造領域１０４１０には、ＵＤＦ規格で規定されるボリューム構造が記録される。ボリューム構造には、具体的には、ＮＳＲ記述子、基本ボリューム記述子、処理シ
ステム用記述子、区画記述子、論理ボリューム記述子、未割付空間記述子、終端記述子、論理ボリューム保全記述子、および開始ボリューム記述子が含まれる。
【００１１】
ファイル構造／ファイル領域１０４２０には、ファイル集合記述子１０４２１およびＲＯＯＴディレクトリファイルのファイルエントリであるＦＥ（ＲＯＯＴ）１０４２２が記録されている。ＦＥ（ＲＯＯＴ）１０４２２は、パーティション空間内でディレクトリ階層の起点となる。
【００１２】
ファイルエントリ（以降、ＦＥとする）は、ボリューム空間内に記録されるファイルの位置や大きさを管理するためにＵＤＦ規格で規定されているデータ構造を有する。なお、ここでは説明の簡単化のため、ＲＯＯＴディレクトリファイルはＦＥ（ＲＯＯＴ）１０４２２に含まれる形式としている。
【００１３】
ＶＡＴ構造領域１０４３０には、ＶＡＴ１０４３１とＶＡＴ  ＩＣＢ１０４３２とが記録されている。ＶＡＴは、追記形記録媒体におけるファイル構造の更新処理を簡素化することを目的としてＵＤＦ規格で規定されているデータ構造である。
【００１４】
ＶＡＴを用いる場合、ＦＥのようなファイル構造データのボリューム空間上での記録位置が、仮想アドレス空間上の仮想アドレスを用いて指定される。そして、記録媒体上の記録位置である論理アドレス空間上の論理アドレスと、この仮想アドレスとの対応関係を保持するのがＶＡＴである。これらの構造により、ＤＶＤ−Ｒディスクのような書換えができない記録媒体においても、仮想的にデータの書換えが実現される。そして、ＶＡＴの記録媒体上の記録位置は、記録媒体上でデータが記録された領域の終端セクタに割り付けられるＶＡＴ  ＩＣＢにより指定される。
【００１５】
リードイン領域１０１０１には物理フォーマット情報領域１０１０４が含まれる。物理フォーマット情報領域１０１０４には、記録媒体１０１００に割り付けられた様々な領域の管理情報を記録するため情報である物理フォーマット情報が記録されている。管理情報とは、例えば、ボーダアウト領域のアドレス情報、等である。なお、物理フォーマット情報領域１０１０４は、フォーマット処理直後の時点では領域だけが確保され、データは未記録状態である。
【００１６】
図３３を参照して、図１１に示すファイルおよびディレクトリ構造のうちディレクトリ（Ｄｉｒ−Ａ）とデータファイル（Ｆｉｌｅ−ａ）とを記録する手順を説明する。
【００１７】
図３２の状態の記録媒体１０１００に対してディレクトリ（Ｄｉｒ−Ａ）とデータファイル（Ｆｉｌｅ−ａ）の記録処理が行われると、図３３に示すように、ファイル構造／ファイル領域１０５００に、データファイル（Ｆｉｌｅ−ａ）１０５０１と、ＦＥ（Ｆｉｌｅ−ａ）１０５０２と、ＦＥ（Ｄｉｒ−Ａ）１０５０３と、ＦＥ（ＲＯＯＴ）１０５０４とが記録される。なお、ディレクトリファイルはＦＥ（Ｄｉｒ−Ａ）１０５０３に含まれる形式とする。
【００１８】
また、ＶＡＴ構造領域１０５２０には、新たに記録されたＦＥ１０５０２、ＦＥ１０５０３およびＦＥ１０５０４が登録されたＶＡＴ１０５２１と、ＶＡＴ  ＩＣＢ  １０５２２とが記録される。
【００１９】
さらにクローズ処理が行われると、まずネクストボーダマーカ１０５３１を除いたボーダアウト領域１０５３０に所定のデータが記録される。また、フォーマット処理後に未記録状態であったリードイン領域１０１０１内の物理フォーマット情報領域１０１０４に所定のデータが記録される。
【００２０】
なお、クローズ処理は、情報再生装置が最新のボリューム・ファイル構造を検索可能とするために実行される。
【００２１】
ファイル記録処理とクローズ処理が、図３２に示すフォーマット処理後のデータ構造を持つ記録媒体１０１００に対して実行された時、図３３に示すデータ構造が記録媒体１０１００に形成される。
【００２２】
図３４を参照して、図１１に示すファイルおよびディレクトリ構造のうちのディレクトリ（Ｄｉｒ−Ｂ）とデータファイル（Ｆｉｌｅ−ｂ）との記録処理手順を説明する。
【００２３】
ここでは、ファイル構造／ファイル領域１０６００に、データファイル（Ｆｉｌｅ−ｂ）１０６０１とそれに関連するファイル構造である、ファイル（Ｆｉｌｅ−ｂ）１０６０１、ＦＥ（Ｆｉｌｅ−ｂ）１０６０２、ＦＥ（Ｄｉｒ−Ｂ）１０６０３、ＦＥ（ＲＯＯＴ）１０６０４が記録される。
【００２４】
また、ＶＡＴ構造領域１０６１００に、最新のＶＡＴ構造である、ＶＡＴ１０６１０１とＶＡＴ  ＩＣＢ１０６０２が記録される。
【００２５】
最後に、クローズ処理を再度実行することにより、ネクストボーダマーカ１０６２０１を除いたボーダアウト領域１０６２００に所定のデータが記録される。さらに、ボーダアウト領域１０５３０内に割り付けられたネクストボーダマーカ１０５３１と、物理フォーマット情報領域１０６３０１を含むボーダイン領域１０６３００とが記録される。
【００２６】
以上で説明したようなファイル記録処理とクローズ処理が、図３３に示すデータ構造を持つ記録媒体１０１００に対して実行された時、図３４に示すデータ構造が記録媒体１０１００に形成される。
【００２７】
このように、クローズ処理が実行される度に、ボリューム空間１０１０９のリードイン領域１０１０１またはボーダイン領域と、ボーダアウト領域とに挟まれた領域が形成される。以降、この領域のことをボーダ付き領域と呼ぶ。例えば図３４では、ボーダ付き領域＃１  １０７００やボーダ付き領域＃２  １０７０１が存在する。ボーダ付き領域はＣＤ−Ｒディスクの場合におけるセッションと同様の概念である。
【００２８】
次に、図３５に示した再生処理手順のフローチャートを参照して、ファイルの再生動作を説明する。ここでは、データファイル（Ｆｉｌｅ−ａ）１０５０１を再生する動作を例にあげて説明する。
【００２９】
まず、リードイン領域１０１０１の物理フォーマット情報領域１０１０４のデータが再生され、物理フォーマット情報が取得される（ステップＳ１１１０１）。
【００３０】
次に、ネクストボーダマーカのデータが再生される（ステップＳ１１１０２）。
【００３１】
ステップＳ１１１０１（あるいはステップＳ１１１０３）で取得された物理フォーマット情報にはボーダアウト領域のアドレス情報が含まれる。そしてボーダアウト領域の所定の位置にネクストボーダマーカのデータが記録されているので、そこからネクストボーダマーカが再生される。
【００３２】
例えば、図３４において、物理フォーマット情報領域１０１０４には、ボーダアウト領域１０５３０のアドレス情報が記録されている。また、ボーダイン領域１０６３００に含
まれる物理フォーマット領域１０６３０１には、ボーダアウト領域１０６２００のアドレス情報が記録されている。
【００３３】
ステップＳ１１１０１（あるいはステップＳ１１１０３）で取得された物理フォーマット情報に含まれるネクストボーダマーカが記録済状態である場合には、より新しいボーダ付き領域が存在するので、ステップＳ１１１０３以降が実行される。
【００３４】
ステップＳ１１１０１において取得された物理フォーマット情報に含まれるボーダイン領域のアドレス情報に従って、次のボーダイン領域に記録された情報の再生が行われる（ステップＳ１１１０３）。物理フォーマット情報に含まれるボーダイン領域のアドレス情報はステップＳ１１１０４においても取得され得る。そして、再生された情報から物理フォーマット情報が取得される。
【００３５】
一方、ステップＳ１１１０２で再生されたネクストボーダマーカが未記録状態である場合には、現在のボーダ付き領域が最新であるので、ステップＳ１１１０４以降が実行される。
【００３６】
最新のボーダ付き領域に到達した場合、取得された最新の物理フォーマット情報が参照され、アクセスが可能な領域の終端の物理アドレスが取得される（ステップＳ１１１０４）。
【００３７】
図３４において、ボーダ付き領域＃２  １０７０１の終端がアクセス可能な領域の終端である。
【００３８】
そして、最後にファイル再生が次の手順で行われる。
【００３９】
まず、ボリューム構造領域１０４１０に記録されている情報が再生される（ステップＳ１１１０５）。再生された情報（ボリューム構造）には、ファイル集合記述子１０４２１のアドレス情報や区画開始位置が含まれる。ＶＡＴ方式の場合、ボリューム構造内にＵＤＦ規格で定義された仮想区画マップが含まれるので、その情報に基づいて、ボリューム空間内にＶＡＴ構造が記録されていることが認識される。
【００４０】
そして、アクセスが可能な領域の終端に記録されたＶＡＴ  ＩＣＢ１０６１０２が再生される。（ステップＳ１１１０６）。
【００４１】
再生されたＶＡＴ  ＩＣＢＰ１０６１０２からＶＡＴの記録位置情報が取得され、ＶＡＴ１０６１０１が読み出される。
【００４２】
目的のファイルやその管理情報が仮想アドレスを用いて管理されている場合、ステップＳ１１１０６で取得されたＶＡＴ１０６１０１を用いて目的のファイルやディレクトリのファイルエントリが登録されたＶＡＴエントリが参照される（ステップＳ１１１０７）。
【００４３】
そして、仮想アドレスから論理アドレスへの変換処理を行い、ファイル構造／ファイル領域１０４２０のファイル集合記述子１０４２１を起点として、ファイル構造／ファイル領域１０６００のＦＥ（ＲＯＯＴ）１０６０４と、ＦＥ（ＲＯＯＴ）１０６０４に含まれたＲＯＯＴディレクトリと、ファイル構造／ファイル領域１０５００のＦＥ（Ｄｉｒ−Ａ）１０５０３と、ＦＥ（Ｄｉｒ−Ａ）１０５０３に含まれたディレクトリ（Ｄｉｒ−Ａ）と、ＦＥ（Ｆｉｌｅ−ａ）１０５０２とが、順次読み出される。
【００４４】
そして、ＦＥ（Ｆｉｌｅ−ａ）１０５０２からデータファイル（Ｆｉｌｅ−ａ）１０５
０１の記録位置が取得され、データファイル（Ｆｉｌｅ−ａ）１０５０１が再生される。
【００４５】
以上、ＶＡＴ方式によるＤＶＤ−Ｒディスクへの追記方法について述べたが、ＶＡＴ方式と異なる追記方式としてマルチボーダ方式も知られている。なお、ＣＤ−Ｒディスクの場合における同様の方式はマルチセッション方式と呼ばれる。
【００４６】
マルチボーダ方式においては、ボーダ付き領域を単位としてデータの追記が行われ、ボーダ付き領域毎にボリューム構造およびファイル構造が記録される。
【００４７】
マルチボーダ方式では、ＶＡＴのような仮想アドレスを用いたデータ更新の仕組みを使わず、ファイル構造の更新が行われたら、ボリューム構造およびファイル構造を新たに生成し直し、新たなボーダ付き領域に記録し直す。
【００４８】
マルチボーダ方式の再生は、最新のボーダ付き領域を確定し、そこから最新のボリューム構造を読み出す。
【００４９】
後は、順次、ＵＤＦ規格で定められたデータ構造に従ってデータをたどることにより特定のファイルを再生することが可能である。例えば、再生専用のＤＶＤ−ＲＯＭディスク等と同様の再生手順でデータを読み出せる。
【００５０】
また、マルチボーダ／マルチセッション方式の場合、イメージデータを用いた効率的なデータ記録が行われる。データのバックアップ等、あらかじめ記録したいすべてのファイルが分かっている場合は、ハードディスクドライブ上に記録したいファイルデータと、そのボリューム構造およびファイル構造をすべて含んだ形式のデータファイルを作成する。このファイルがイメージデータである。イメージデータの記録に際しては、１つのボーダ付き領域（あるいはセッション）を割当て、その領域に連続的にイメージデータを記録していく。記録が連続的に行われることと、ファイル構造が既に作成済みであることから、記録時のオーバーヘッドが小さくなり、イメージデータの記録を高速に行うことが可能である。
【００５１】
図３６は、特許文献２に開示されるコンピュータシステム１０２００とドライブ装置１０３００とを示す。
【００５２】
コンピュータシステム１０２００は、コンピュータメモリ１０２１０と一時メモリ１０２２０とを備え、ライト・ワンス記録媒体１０４００との間でデータの転送を行う。一時メモリ１０２２０は、コンピュータメモリ１０２１０とライト・ワンス記録媒体１０４００との両方にデータ転送が可能である。一時メモリ１０２２０は、システムファイル割当領域１０２２１と、媒体ディレクトリ領域１０２２４と、データファイル領域１０２２５とを含む。システムファイル割当領域１０２２１は、ファイル割り当てテーブル１０２２２と、ＯＳ（オペレーティングシステム）ディレクトリ１０２２５を格納するための領域である。
【００５３】
ライト・ワンス記録媒体１０４００にユーザファイル（ユーザファイルはビデオデータおよびオーディオデータのうちの少なくとも一方を含む）の記録を行うときのコンピュータシステム１０２００の動作について説明する。
【００５４】
図３７は、ライト・ワンス記録媒体１０４００のデータ構造を示す。ライト・ワンス記録媒体１０４００のファイルディレクトリ領域１０５１０には、ファイルデータ領域１０６１０に記録されているユーザファイルに対応するディレクトリエントリが記録される。ディレクトリエントリは、ライト・ワンス記録媒体１０４００におけるファイル構造であ
り、ユーザファイルの記録位置情報やファイルサイズ、ファイル名等を含む。
【００５５】
図３７に示す状態のライト・ワンス記録媒体１０４００に新しいユーザファイルを記録する動作を説明する。ここでは、新しいユーザファイルは、ファイルデータ領域１０６１０に記録されているユーザファイルを更新することにより生成されたユーザファイルである。
【００５６】
コンピュータシステム１０２００は、ライト・ワンス記録媒体１０４００から全てのディレクトリエントリを読み出して、媒体ディレクトリ領域１０２２４に格納する。そして、媒体ディレクトリ領域１０２２４に記録されたディレクトリエントリの情報を変換して、システムファイル割当領域１０２２１にファイル割り当てテーブル１０２２２およびＯＳディレクトリ１０２２５を記録する。ファイル割り当てテーブル１０２２２およびＯＳディレクトリ１０２２５は、書き換え可能な記録媒体のファイル構造と同じ構造を有する。
【００５７】
次に、コンピュータシステム１０２００は、新しいユーザファイルを、データファイル領域１０２２５を介してコンピュータメモリ１０２１０からライト・ワンス記録媒体１０４００へと転送する。この新しいユーザファイルは、例えば、図３８に示すファイルデータ領域１０６２０に記録する。そして、この新しいユーザファイルの記録に応じて、システムファイル割当領域１０２２１中の情報、すなわちファイル割り当てテーブル１０２２２およびＯＳディレクトリ１０２２５を更新する。ファイル割り当てテーブル１０２２２およびＯＳディレクトリ１０２２５の更新に応じて、媒体ディレクトリ領域１０２２４に格納されたディレクトリエントリを更新する。
【００５８】
最後に、更新されたディレクトリエントリをライト・ワンス記録媒体１０４００に記録する。図３８では、更新されたディレクトリエントリは、ファイルディレクトリ領域１０５１０ｂに記録される。
【００５９】
このように、上述の記録動作においては、ライト・ワンス記録媒体１０４００上のディレクトリエントリ（ファイル構造）を一時メモリ１０２２０に読み込み、ディレクトリエントリを書き換え可能な記録媒体のファイル構造と同じファイル構造に変換する。そして、新しいユーザファイルの記録に応じて、一時メモリ１０２２０上のファイル構造を更新する。そして、書き換え可能な記録媒体のファイル構造を再度、ライト・ワンス記録媒体１０４００上のファイル構造へ再変換してからライト・ワンス記録媒体１０４００へ記録する。
【００６０】
この再変換処理において、すべてのディレクトリエントリはファイルディレクトリ領域１０５１０からファイルディレクトリ領域１０５１０ｂへ再配置される。例えば、図３８では、ディレクトリエントリ１０５１１はディレクトリエントリ１０５１１ｂに再配置される。
【００６１】
図３８に示すように、ディレクトリエントリ１０５１１およびディレクトリエントリ１０５１１ｂはそれぞれ論理アドレス値として、「０」〜「ｃ」および「ｄ」〜「ｇ」のような値を有する。論理アドレス値の変更は、一時メモリ１０２２０内で行われる変換処理の過程においてディレクトリエントリが有する情報に直接反映される。例えば、ディレクトリエントリ１０５１２を参照するための論理アドレスは「ｂ」である。そして新しいユーザファイルが記録されると、ディレクトリエントリ１０５１２に対応するディレクトリエントリ１０５１２ｂを参照するための論理アドレス値は「ｆ」となる。同様にファイルディレクトリ領域中の論理アドレスに関連するすべての情報が変更される。
【００６２】
このような、ライト・ワンス記録媒体１０４００にデータを追記する場合、媒体上に記録されたディレクトリ情報や位置情報、等のファイル構造を読み出して変換するという手法は広く一般的に用いられている。これは、ライト・ワンス記録媒体においては、すでに記録された領域にデータを記録することが出来ないことによるものである。また、ファイル構造の変換処理を必要とするため、ライト・ワンス特有の変換処理をデータの再生時および記録時に行う必要がある。
【特許文献１】米国特許第５６６６５３１号
【特許文献２】特許第３００５６４５号公報
【発明の開示】
【発明が解決しようとする課題】
【００６３】
しかしながら、上述で説明したような方式では、追記型記録媒体特有のディレクトリやファイルの再生動作が必要であるので、再生専用記録媒体または書換型記録媒体用の再生動作を行うことしかできないシステムでは、追記型記録媒体中のデータが再生できないという課題があった。
【００６４】
例えば、特許文献２に示す記録方法によってＤＶＤ−Ｒディスクのような追記型記録媒体に記録されたユーザファイルを再生する場合には、最新のファイル構造（例えば、図３８のファイルディレクトリ領域１０５１０ｂ）の記録位置を知る必要がある。特許文献２に示す記録方法では、ファイルディレクトリ領域１０５１０ｂの位置は一意に決まらないので、その位置を知るために何らかの方法が必要である。この方法として例えば、マルチボーダ／マルチセッション方式を用いざるを得ない。
【００６５】
具体的には、第１のボーダ付き領域を設定し、第１のボーダ付き領域にファイルディレクトリ領域１０５１０とファイルデータ領域１０６１０とを設ける。さらに、第２のボーダ付き領域を設定し、第２のボーダ付き領域にファイルディレクトリ領域１０５１０ｂとファイルデータ領域１０６２０とを設ける。各ファイルディレクトリ領域は、それぞれのボーダ付き領域内の所定の位置（例えば領域の先頭）に設けられる。そして再生時に、最新のボーダ付き領域の場所は、リードイン領域またはボーダイン領域中の物理フォーマット情報を順次読み出すことにより取得する。このように、特許文献２に示す記録方法を用いた場合でも、マルチボーダ／マルチセッション方式を用いれば最新のファイルディレクトリ領域の位置を知ることが可能となる。しかしながら、この場合にも結局、マルチボーダに対応していないシステム（例えば再生専用システム）では、情報を読み出せないという課題は解決されない。
【００６６】
本発明は上記課題を解決するものであり、再生専用記録媒体または書換型記録媒体用の再生動作を行うことしかできないシステムとの互換性を有する追記型記録媒体、追記型記録媒体に情報を記録する記録装置、ホスト装置および記録方法、その記録媒体に記録された情報を再生する再生装置、ホスト装置および再生方法、これらの装置に記録動作および再生動作を実行させるプログラムを提供することを目的とする。
【課題を解決するための手段】
【００６７】
本発明の記録装置は、第１のファイル構造を含む第１情報が記録された追記型記録媒体に第２のファイル構造を含む第２情報を記録する記録装置であって、前記記録装置は、ホスト装置とドライブ装置とを備え、前記ホスト装置は、前記第２情報を第１のメモリに格納する格納部と、前記格納された第２情報を前記追記型記録媒体に記録するように、前記ドライブ装置に指示する前に、前記第２情報を前記第１のメモリから前記ドライブ装置の第２のメモリに転送する指示部とを備え、前記ドライブ装置は、前記第１情報の第１のアドレス情報と前記第２情報の第２のアドレス情報とを関連付けるための関連情報を生成する生成部と、前記追記型記録媒体に前記第２情報を記録するためのヘッド部と、論理的な空間上で再生専用のファイル構造と同じとなるよう、前記第２のメモリからの前記格納された第２情報と、前記関連情報とを前記追記型記録媒体に記録するように、前記ヘッド部を制御する制御部とを備え、前記第２アドレス情報は、前記追記型記録媒体の交替領域に記録され、前記関連情報は、前記追記型記録媒体のリードイン領域に記録され、前記第２情報は、前記追記型記録媒体のユーザ領域に記録され、これにより上記目的を達成する。
【００６８】
前記第１情報は、前記第１のファイル構造を管理するファイル管理情報を含み、前記第２情報は、前記ファイル管理情報を更新することによって生成された更新情報を、前記第２のファイル構造を管理する情報として含み、前記生成部は、前記ファイル管理情報と前記更新情報とを関連付けるための第１関連情報を生成し、前記制御部は、前記更新情報と前記第１関連情報とを前記追記型記録媒体に記録するように、前記ヘッド部を制御してもよい。
【００６９】
前記追記型記録媒体は、少なくとも１つの第１トラックと、前記少なくとも１つの第１トラックとは異なる少なくとも１つの第２トラックとを含み、前記少なくとも１つの第１トラックは、前記ファイル管理情報を記録するための領域であり、前記少なくとも１つの第２トラックは、ユーザデータを記録するための領域でありえる。
【００７０】
前記ホスト装置は、前記追記型記録媒体に記録された情報の最終位置を示す最終位置情報を取得する取得部と、前記最終位置情報に基づいて、データの記録位置を決定する決定部とをさらに備え、前記制御部は、前記ヘッド部が前記記録位置に前記データを記録するように、前記ヘッド部を制御することがありえる。
【００７１】
前記第１情報は、前記第１のファイル構造を管理するファイル管理情報を管理する管理情報をさらに含み、前記第２情報は、前記管理情報を更新することによって生成された第１更新情報を、前記第２のファイル構造を管理するファイル管理情報を管理する情報として含み、前記生成部は、前記管理情報と前記第１更新情報とを関連付けるための第２関連情報を生成し、前記制御部は、前記第１更新情報と前記第２関連情報とを前記追記型記録媒体に記録するように、前記ヘッド部を制御することがありえる。
【００７２】
前記追記型記録媒体は、少なくとも１つの第１トラックと、前記少なくとも１つの第１トラックとは異なる少なくとも１つの第２トラックとを含み、前記少なくとも１つの第１トラックは、前記ファイル管理情報を記録するための領域であり、前記少なくとも１つの第２トラックは、ユーザデータを記録するための領域でありえる。
【００７３】
前記ホスト装置は、前記追記型記録媒体に記録された情報の最終位置を示す最終位置情報を取得する取得部と、前記最終位置情報に基づいて、データの記録位置を決定する決定部とをさらに備え、前記制御部は、前記ヘッド部が前記記録位置に前記データを記録するように、前記ヘッド部を制御することがありえる。
【００７４】
本発明のホスト装置は、第１のファイル構造を含む第１情報が記録された追記型記録媒体に第２のファイル構造を含む第２情報を記録する記録装置に備えられたホスト装置であって、前記記録装置は、前記第１情報の第１のアドレス情報と前記第２情報の第２のアドレス情報とを関連付けるための関連情報を生成する生成部と、前記追記型記録媒体に前記第２情報を記録するためのヘッド部と、論理的な空間上で再生専用のファイル構造と同じとなるよう、第２のメモリからの格納された前記第２情報と、前記関連情報とを前記追記型記録媒体に記録するように、前記ヘッド部を制御する制御部とを備えたドライブ装置をさらに備え、前記ホスト装置は、第２のファイル構造を含む前記第２情報を第１のメモリに格納する格納部と、前記第１のメモリからの前記格納された第２情報を前記追記型記録媒体に記録するように、前記ドライブ装置に指示する前に、前記第２情報を前記第１のメモリから前記ドライブ装置の前記第２のメモリに転送する指示部とを備え、前記第２アドレス情報は、前記追記型記録媒体の交替領域に記録され、前記関連情報は、前記追記型記録媒体のリードイン領域に記録され、前記第２情報は、前記追記型記録媒体のユーザ領域に記録され、これにより上記目的を達成することができる。
【００７５】
前記第１情報は、前記第１のファイル構造を管理するファイル管理情報を含み、前記第２情報は、前記ファイル管理情報を更新することによって生成された更新情報を、前記第２のファイル構造を管理する情報として含むことがありえる。
【００７６】
前記追記型記録媒体は、少なくとも１つの第１トラックと、前記少なくとも１つの第１トラックとは異なる少なくとも１つの第２トラックとを含み、前記少なくとも１つの第１トラックは、前記ファイル管理情報を記録するための領域であり、前記少なくとも１つの第２トラックは、ユーザデータを記録するための領域でありえる。
【００７７】
前記ホスト装置は、前記追記型記録媒体に記録された情報の最終位置を示す最終位置情報を取得する取得部と、前記最終位置情報に基づいて、データの記録位置を決定する決定
部とをさらに備え、前記ドライブ装置は、前記記録位置に前記データを記録することがありえる。
【００７８】
前記第１情報は、前記第１のファイル構造を管理するファイル管理情報を管理する管理情報をさらに含み、前記第２情報は、前記管理情報を更新することによって生成された第１更新情報を、前記第２のファイル構造を管理するファイル管理情報を管理する情報として含むことがありえる。
【００７９】
本発明のドライブ装置は、第１のファイル構造を含む第１情報が記録された追記型記録媒体に第２のファイル構造を含む第２情報を記録する記録装置に備えられたドライブ装置であって、前記記録装置は、第２のファイル構造を含む前記第２情報を第１のメモリに格納する格納部と、前記格納された第２情報を前記追記型記録媒体に記録するように、前記ドライブ装置に指示する前に、前記第２情報を前記第１のメモリから前記ドライブ装置の第２のメモリに転送する指示部とを備えたホスト装置をさらに備え、前記ドライブ装置は、前記第１情報の第１のアドレス情報と前記第２情報の第２のアドレス情報とを関連付けるための関連情報を生成する生成部と、前記追記型記録媒体に前記第２情報を記録するためのヘッド部と、論理的な空間上で再生専用のファイル構造と同じとなるよう、前記第２のメモリからの前記格納された第２情報と、前記関連情報とを前記追記型記録媒体に記録するように、前記ヘッド部を制御する制御部とを備え、前記第２アドレス情報は、前記追記型記録媒体の交替領域に記録され、前記関連情報は、前記追記型記録媒体のリードイン領域に記録され、前記第２情報は、前記追記型記録媒体のユーザ領域に記録され、これにより上記目的を達成することができる。
【００８０】
前記第１情報は、前記第１のファイル構造を管理するファイル管理情報を含み、前記第２情報は、前記ファイル管理情報を更新することによって生成された更新情報を、前記第２のファイル構造を管理する情報として含み、前記生成部は、前記ファイル管理情報と前記更新情報とを関連付けるための第１関連情報を生成し、前記制御部は、前記更新情報と前記第１関連情報とを前記追記型記録媒体に記録するように、前記ヘッド部を制御することがありえる。
【００８１】
前記追記型記録媒体は、少なくとも１つの第１トラックと、前記少なくとも１つの第１トラックとは異なる少なくとも１つの第２トラックとを含み、前記少なくとも１つの第１トラックは、前記ファイル管理情報を記録するための領域であり、前記少なくとも１つの第２トラックは、ユーザデータを記録するための領域でありえる。
【００８２】
前記ホスト装置は、前記追記型記録媒体に記録された情報の最終位置を示す最終位置情報に基づいて、データの記録位置を決定し、
前記制御部は、前記ヘッド部が前記記録位置に前記データを記録するように、前記ヘッド部を制御することがありえる。
【００８３】
前記第１情報は、前記第１のファイル構造を管理するファイル管理情報を管理する管理情報をさらに含み、前記第２情報は、前記管理情報を更新することによって生成された第１更新情報を、前記第２のファイル構造を管理するファイル管理情報を管理する情報として含み、前記生成部は、前記管理情報と前記第１更新情報とを関連付けるための第２関連情報を生成し、前記制御部は、前記第１更新情報と前記第２関連情報とを前記追記型記録媒体に記録するように、前記ヘッド部を制御することがありえる。
【００８４】
本発明の記録方法は、上記本発明の記録装置を用いて、前記第１情報が記録された前記追記型記録媒体に前記第２情報を記録する記録方法であって、前記ホスト装置が、格納部が有する第１のメモリに格納された、第２のファイル構造を含む前記第２情報を前記追記型記録媒体に記録するように、前記ドライブ装置に指示する前に、前記第２情報を前記第１のメモリから前記ドライブ装置の第２のメモリに転送する指示ステップと、前記ドライブ装置が、前記第１情報の第１のアドレス情報と前記第２情報の第２のアドレス情報とを関連付けるための関連情報を生成する生成ステップと、論理的な空間上で再生専用のファイル構造と同じとなるよう、前記第２のメモリからの前記格納された第２情報と、前記関連情報とを前記追記型記録媒体に記録する記録ステップとを包含し、これにより上記目的を達成することができる。
【００８５】
本発明の指示方法は、第１情報が記録された追記型記録媒体に第２情報を記録する請求項１に記載の記録装置に備えられたホスト装置によって実行される指示方法であって、前記記録装置は、論理的な空間上で再生専用のファイル構造と同じとなるよう、前記第１情報の第１のアドレス情報と前記第２情報の第２のアドレス情報とを関連付けるための関連情報と、前記第２のメモリからの前記格納された第２情報とを前記追記型記録媒体に記録し、前記指示方法は、前記格納された前記第２情報を前記追記型記録媒体に記録するように、前記ドライブ装置に指示する前に、前記第２情報を前記第１のメモリから前記ドライブ装置の第２のメモリに転送する指示ステップを包含し、これにより上記目的を達成することができる。
【００８６】
本発明の方法は、第１情報が記録された追記型記録媒体に第２情報を記録する請求項１に記載の記録装置に備えられたドライブ装置によって実行される方法であって、前記記録装置は、前記第２のファイル構造を含む前記第２情報を前記追記型記録媒体に記録するように、前記ドライブ装置に指示し、前記方法は、前記第１情報の第１のアドレス情報と前記第２情報の第２のアドレス情報とを関連付けるための関連情報を生成する生成ステップと、論理的な空間上で再生専用のファイル構造と同じとなるよう、前記第２のメモリからの前記格納された第２情報と、前記関連情報とを前記追記型記録媒体に記録する記録ステップとを包含し、これにより上記目的を達成することができる。
【００８７】
本発明のプログラムは、上記本発明の記録装置によって実行され、第１情報が記録された追記型記録媒体に第２情報を記録する記録処理手順を実行するためのプログラムであって、前記記録処理手順は、前記格納された第２情報を前記追記型記録媒体に記録するように、前記ドライブ装置に指示する前に、前記第２情報を前記第１のメモリから前記ドライブ装置の第２のメモリに転送する指示ステップと、前記第１情報の第１のアドレス情報と前記第２情報の第２のアドレス情報とを関連付けるための関連情報を生成する生成ステップと、論理的な空間上で再生専用のファイル構造と同じとなるよう、前記第２のメモリからの前記格納された第２情報と、前記関連情報とを前記追記型記録媒体に記録する記録ステップとを包含し、これにより上記目的を達成することができる。
【００８８】
本発明のプログラムは、第１情報が記録された追記型記録媒体に第２情報を記録する上記本発明の記録装置に備えられたホスト装置によって指示処理手順を実行するためのプログラムであって、前記記録装置は、論理的な空間上で再生専用のファイル構造と同じとなるよう、前記第１情報の第１のアドレス情報と前記第２情報の第２のアドレス情報とを関連付けるための関連情報と、第２のファイル構造を含む前記第２情報とを前記追記型記録媒体に記録し、前記指示処理手順は、前記格納された第２情報を前記追記型記録媒体に記録するように、前記ドライブ装置に指示する前に、前記第２情報を前記第１のメモリから前記ドライブ装置の第２のメモリに転送する指示ステップを包含し、これにより上記目的を達成することができる。
【００８９】
本発明のプログラムは、第１情報が記録された追記型記録媒体に第２情報を記録する上記本発明の記録装置に備えられたドライブ装置によって記録処理手順を実行するためのプログラムであって、前記記録装置は、前記格納された第２情報を前記追記型記録媒体に記録するように、前記ドライブ装置に指示する前に、前記第２情報を前記第１のメモリから前記ドライブ装置の第２のメモリに転送し、前記記録処理手順は、
前記第１情報の第１のアドレス情報と前記第２情報の第２のアドレス情報とを関連付けるための関連情報を生成する生成ステップと、論理的な空間上で再生専用のファイル構造と同じとなるよう、前記第２のメモリからの前記格納された第２情報と、前記関連情報とを前記追記型記録媒体に記録する記録ステップとを包含し、これにより上記目的を達成することができる。
【００９０】
本発明の集積回路は、第１情報が記録された追記型記録媒体に第２情報を記録する上記本発明の記録装置に備えられた集積回路であって、前記記録装置は、論理的な空間上で再生専用のファイル構造と同じとなるよう、前記第１情報の第１のアドレス情報と前記第２情報の第２のアドレス情報とを関連付けるための関連情報と、前記第２のメモリからの前記格納された第２情報とを前記追記型記録媒体に記録するドライブ装置をさらに備え、前記集積回路は、前記格納された第２情報を前記追記型記録媒体に記録するように、前記ドライブ装置に指示する前に、前記第２情報を前記第１のメモリから前記ドライブ装置の第２のメモリに転送し、これにより上記目的を達成することができる。
【００９１】
本発明の集積回路は、第１情報が記録された追記型記録媒体に第２情報を記録する上記本発明の記録装置に備えられた集積回路であって、前記記録装置は、前記格納された第２情報を前記追記型記録媒体に記録するように、前記ドライブ装置に指示する前に、前記第２情報を前記第１のメモリから前記ドライブ装置の第２のメモリに転送するホスト装置をさらに備え、前記集積回路は、前記第１情報の第１のアドレス情報と前記第２情報の第２のアドレス情報とを関連付けるための関連情報を生成する生成部と、論理的な空間上で再生専用のファイル構造と同じとなるよう、前記第２のメモリからの前記格納された第２情報と、前記関連情報とを前記追記型記録媒体に記録するように、前記ヘッド部を制御する制御部とを備え、これにより上記目的を達成することができる。
【００９２】
本発明の再生装置は、第１のファイル構造を含む第１情報と第２情報とが、論理的な空間上で再生専用のファイル構造と同じとなるよう関連情報とともに記録された追記型記録媒体から前記第２情報を再生する再生装置であって、前記関連情報は、前記第１情報の第１のアドレス情報と前記第２情報の第２のアドレス情報とを関連付けるための情報であり、前記第２アドレス情報は、前記追記型記録媒体の交替領域に記録され、前記関連情報は、前記追記型記録媒体のリードイン領域に記録され、前記第２情報は、前記追記型記録媒体のユーザ領域に記録されており、前記再生装置は、ホスト装置とドライブ装置とを備え、前記ホスト装置は、前記第１情報を前記追記型記録媒体から再生するように、前記ドライブ装置に指示する指示部を備え、前記ドライブ装置は、前記追記型記録媒体から前記第２のファイル構造を含む前記第２情報を再生するためのヘッド部と、前記ホスト装置が、前記第１情報を前記追記型記録媒体から再生するように、前記ドライブ装置に指示した場合、前記関連情報に基づいて、前記追記型記録媒体から前記第２情報を再生するように、前記ヘッド部を制御する制御部とを備え、これにより上記目的を達成することができる。
【００９３】
前記第１情報は、前記第１のファイル構造を管理するファイル管理情報を含み、前記第２情報は、前記ファイル管理情報を更新することによって生成された更新情報を前記第２のファイル構造を管理する情報として含み、前記追記型記録媒体には、前記ファイル管理情報と前記更新情報とを関連付けるための第１関連情報が記録されており、前記制御部は、前記第１関連情報に基づいて、前記追記型記録媒体から前記更新情報を再生するように、前記ヘッド部を制御することがありえる。
【００９４】
前記追記型記録媒体は、少なくとも１つの第１トラックと、前記少なくとも１つの第１トラックとは異なる少なくとも１つの第２トラックとを含み、前記少なくとも１つの第１トラックは、前記ファイル管理情報を記録するための領域であり、前記少なくとも１つの第２トラックは、ユーザデータを記録するための領域でありえる。
【００９５】
前記第１情報は、前記第１のファイル構造を管理するファイル管理情報を管理する管理情報をさらに含み、前記第２情報は、前記管理情報を更新することによって生成された第１更新情報を、前記第２のファイル構造を管理するファイル管理情報を管理する情報として含み、前記追記型記録媒体には、前記管理情報と前記第１更新情報とを関連付けるための第２関連情報が記録されており、前記制御部は、前記第２関連情報に基づいて、前記追記型記録媒体から前記第１更新情報を再生するように、前記ヘッド部を制御することがありえる。
【００９６】
本発明のホスト装置は、第１のファイル構造を含む第１情報と第２のファイル構造を有する第２情報とが、論理的な空間上で再生専用のファイル構造と同じとなるよう関連情報とともに記録された追記型記録媒体から前記第２情報を再生する再生装置に備えられたホスト装置であって、前記関連情報は、前記第１情報の第１のアドレス情報と前記第２情報の第２のアドレス情報とを関連付けるための情報であり、前記第２アドレス情報は、前記追記型記録媒体の交替領域に記録され、前記関連情報は、前記追記型記録媒体のリードイン領域に記録され、前記第２情報は、前記追記型記録媒体のユーザ領域に記録されており、前記ホスト装置は、前記第１情報を前記追記型記録媒体から再生するように、前記ドライブ装置に指示する指示部を備え、前記再生装置は、前記ホスト装置が、前記第１情報を前記追記型記録媒体から再生するように、前記ドライブ装置に指示した場合、前記関連情報に基づいて、前記追記型記録媒体から第２のファイル構造を含む前記第２情報を再生するドライブ装置を備え、これにより上記目的を達成することができる。
【００９７】
前記第１情報は、前記第１のファイル構造を管理するファイル管理情報を含み、前記第２情報は、前記ファイル管理情報を更新することによって生成された更新情報を、前記第２のファイル構造を管理する情報として含むことがありえる。
【００９８】
前記追記型記録媒体は、少なくとも１つの第１トラックと、前記少なくとも１つの第１トラックとは異なる少なくとも１つの第２トラックとを含み、前記少なくとも１つの第１トラックは、前記ファイル管理情報を記録するための領域であり、前記少なくとも１つの第２トラックは、ユーザデータを記録するための領域でありえる。
【００９９】
前記第１情報は、前記第１のファイル構造を含むファイル管理情報を管理する管理情報をさらに含み、前記第２情報は、前記管理情報を更新することによって生成された第１更新情報を、前記第２のファイル構造を管理するファイル管理情報を管理する情報として含むことがありえる。
【０１００】
本発明のドライブ装置は、第１のファイル構造を含む第１情報と第２のファイル構造を含む第２情報とが、論理的な空間上で再生専用のファイル構造と同じとなるよう関連情報とともに記録された追記型記録媒体から前記第２情報を再生する再生装置に備えられたドライブ装置であって、前記関連情報は、前記第１情報の第１のアドレス情報と前記第２情報の第２のアドレス情報とを関連付けるための情報であり、前記第２アドレス情報は、前記追記型記録媒体の交替領域に記録され、前記関連情報は、前記追記型記録媒体のリードイン領域に記録され、前記第２情報は、前記追記型記録媒体のユーザ領域に記録され、前記再生装置は、前記第１情報を前記追記型記録媒体から再生するように、前記ドライブ装置に指示するホスト装置をさらに備え、前記ドライブ装置は、前記追記型記録媒体から第２のファイル構造を含む前記第２情報を再生するためのヘッド部と、前記ホスト装置が、前記第１情報を前記追記型記録媒体から再生するように、前記ドライブ装置に指示した場合、前記関連情報に基づいて、前記追記型記録媒体から前記第２情報を再生するように、前記ヘッド部を制御する制御部とを備え、これにより上記目的を達成することができる。
【０１０１】
前記第１情報は、前記第１のファイル構造を管理するファイル管理情報を含み、前記第２情報は、前記ファイル管理情報を更新することによって生成された更新情報を、前記第２のファイル構造を管理する情報として含み、前記追記型記録媒体には、前記ファイル管理情報と前記更新情報とを関連付けるための第１関連情報が記録されており、前記制御部は、前記第１関連情報に基づいて、前記追記型記録媒体から前記更新情報を再生するように、前記ヘッド部を制御することがありえる。
【０１０２】
前記追記型記録媒体は、少なくとも１つの第１トラックと、前記少なくとも１つの第１トラックとは異なる少なくとも１つの第２トラックとを含み、前記少なくとも１つの第１トラックは、前記ファイル管理情報を記録するための領域であり、前記少なくとも１つの第２トラックは、ユーザデータを記録するための領域でありえる。
【０１０３】
前記第１情報は、前記第１のファイル構造を管理するファイル管理情報を管理する管理情報をさらに含み、前記第２情報は、前記管理情報を更新することによって生成された第１更新情報を、前記第２のファイル構造を管理するファイル管理情報を管理する情報として含み、前記追記型記録媒体には、前記管理情報と前記第１更新情報とを関連付けるための第２関連情報が記録されており、前記制御部は、前記第２関連情報に基づいて、前記追記型記録媒体から前記第１更新情報を再生するように、前記ヘッド部を制御することがありえる。
【０１０４】
本発明の再生方法は、第１のファイル構造を含む第１情報と第２のファイル構造を含む第２情報とが、論理的な空間上で再生専用のファイル構造と同じとなるよう関連情報とともに記録された追記型記録媒体から前記第２情報を再生する再生方法であって、前記関連情報は、前記第１情報の第１のアドレス情報と前記第２情報の第２のアドレス情報とを関連付けるための情報であり、前記第２アドレス情報は、前記追記型記録媒体の交替領域に記録され、前記関連情報は、前記追記型記録媒体のリードイン領域に記録され、前記第２情報は、前記追記型記録媒体のユーザ領域に記録されており、前記再生方法は、前記第１情報を前記追記型記録媒体から再生するように指示する指示ステップと、前記指示ステップが、前記第１情報を前記追記型記録媒体から再生するように指示した場合、前記関連情報に基づいて、前記追記型記録媒体から第２のファイル構造を含む前記第２情報を再生する再生ステップとを包含し、これにより上記目的を達成することができる。
【０１０５】
本発明の指示方法は、第１のファイル構造を含む第１情報と第２のファイル構造を含む第２情報とが、論理的な空間上で再生専用のファイル構造と同じとなるよう関連情報とともに記録された追記型記録媒体から前記第２情報を再生する再生装置に備えられたホスト装置によって実行される指示方法であって、前記関連情報は、前記第１情報の第１のアドレス情報と前記第２情報の第２のアドレス情報とを関連付けるための情報であり、前記第２アドレス情報は、前記追記型記録媒体の交替領域に記録され、前記関連情報は、前記追記型記録媒体のリードイン領域に記録され、前記第２情報は、前記追記型記録媒体のユーザ領域に記録されており、前記指示方法は、前記第１情報を前記追記型記録媒体から再生するように、前記ドライブ装置に指示する指示ステップを包含し、前記指示ステップが、前記第１情報を前記追記型記録媒体から再生するように、前記ドライブ装置に指示した場合、前記再生装置は、前記関連情報に基づいて、前記追記型記録媒体から第２のファイル構造を含む前記第２情報を再生し、これにより上記目的を達成することができる。
【０１０６】
本発明の方法は、第１のファイル構造を含む第１情報と第２のファイル構造を含む第２情報とが、論理的な空間上で再生専用のファイル構造と同じとなるよう関連情報とともに記録された追記型記録媒体から前記第２情報を再生する再生装置に備えられたドライブ装置によって実行される方法であって、前記関連情報は、前記第１情報の第１のアドレス情報と前記第２情報の第２のアドレス情報とを関連付けるための情報であり、前記第２アドレス情報は、前記追記型記録媒体の交替領域に記録され、前記関連情報は、前記追記型記録媒体のリードイン領域に記録され、前記第２情報は、前記追記型記録媒体のユーザ領域に記録されており、前記再生装置は、前記第１情報を前記追記型記録媒体から再生するように、前記ドライブ装置に指示し、前記方法は、前記再生装置が、前記第１情報を前記追記型記録媒体から再生するように、前記ドライブ装置に指示した場合、前記関連情報に基づいて、前記追記型記録媒体から第２のファイル構造を含む前記第２情報を再生するステップを包含し、これにより上記目的を達成することができる。
【０１０７】
本発明のプログラムは、第１のファイル構造を含む第１情報と第２のファイル構造を含む第２情報とが、論理的な空間上で再生専用のファイル構造と同じとなるよう関連情報とともに記録された追記型記録媒体から前記第２情報を再生する再生処理手順を再生装置によって実行するためのプログラムであって、前記関連情報は、前記第１情報の第１のアドレス情報と前記第２情報の第２のアドレス情報とを関連付けるための情報であり、前記第２アドレス情報は、前記追記型記録媒体の交替領域に記録され、前記関連情報は、前記追記型記録媒体のリードイン領域に記録され、前記第２情報は、前記追記型記録媒体のユーザ領域に記録されており、前記再生処理手順は、前記第１情報を前記追記型記録媒体から再生するように指示する指示ステップと、前記指示ステップが前記第１情報を前記追記型記録媒体から再生するように指示した場合、前記関連情報に基づいて、前記追記型記録媒体から前記第２情報を再生する再生ステップとを包含し、これにより上記目的を達成することができる。
【０１０８】
本発明のプログラムは、第１のファイル構造を含む第１情報と第２のファイル構造を含む第２情報とが、論理的な空間上で再生専用のファイル構造と同じとなるよう関連情報とともに記録された追記型記録媒体から前記第２情報を再生する再生装置に備えられたホスト装置によって指示処理手順を実行するためのプログラムであって、前記関連情報は、前記第１情報の第１のアドレス情報と前記第２情報の第２のアドレス情報とを関連付けるための情報であり、前記第２アドレス情報は、前記追記型記録媒体の交替領域に記録され、前記関連情報は、前記追記型記録媒体のリードイン領域に記録され、前記第２情報は、前記追記型記録媒体のユーザ領域に記録されており、前記指示処理手順は、前記第１情報を前記追記型記録媒体から再生するように指示する指示ステップを包含し、前記再生装置は、前記指示ステップが、前記第１情報を前記追記型記録媒体から再生するように指示した場合、前記関連情報に基づいて、前記追記型記録媒体から第２のファイル構造を含む前記第２情報を再生し、これにより上記目的を達成することができる。
【０１０９】
本発明のプログラムは、第１のファイル構造を含む第１情報と第２のファイル構造を含む第２情報とが論理的な空間上で再生専用のファイル構造と同じとなるよう関連情報とともに記録された追記型記録媒体から前記第２情報を再生する再生装置に備えられたドライブ装置によって再生処理手順を実行するためのプログラムであって、前記関連情報は、前記第１情報の第１のアドレス情報と前記第２情報の第２のアドレス情報とを関連付けるための情報であり、前記第２アドレス情報は、前記追記型記録媒体の交替領域に記録され、前記関連情報は、前記追記型記録媒体のリードイン領域に記録され、前記第２情報は、前記追記型記録媒体のユーザ領域に記録されており、前記再生装置は、前記第１情報を前記追記型記録媒体から再生するように、前記ドライブ装置に指示し、前記再生処理手順は、前記再生装置が、前記第１情報を前記追記型記録媒体から再生するように、前記ドライブ装置に指示した場合、前記関連情報に基づいて、前記追記型記録媒体から第２のファイル構造を含む前記第２情報を再生するステップを包含し、これにより上記目的を達成することができる。
【０１１０】
本発明の集積回路は、第１のファイル構造を含む第１情報と第２のファイル構造を含む第２情報とが、論理的な空間上で再生専用のファイル構造と同じとなるよう関連情報とともに記録された追記型記録媒体から前記第２情報を再生する再生装置に備えられた集積回路であって、前記関連情報は、前記第１情報の第１のアドレス情報と前記第２情報の第２のアドレス情報とを関連付けるための情報であり、前記第２アドレス情報は、前記追記型記録媒体の交替領域に記録され、前記関連情報は、前記追記型記録媒体のリードイン領域に記録され、前記第２情報は、前記追記型記録媒体のユーザ領域に記録されており、前記集積回路は、前記第１情報を前記追記型記録媒体から再生するように、前記ドライブ装置に指示し、前記再生装置は、前記集積回路が、前記第１情報を前記追記型記録媒体から再生するように、前記ドライブ装置に指示した場合、前記関連情報に基づいて、前記追記型記録媒体から第２のファイル構造を含む前記第２情報を再生するドライブ装置をさらに備え、これにより上記目的を達成することができる。
【０１１１】
本発明の集積回路は、第１のファイル構造を含む第１情報と第２のファイル構造を含む第２情報とが、論理的な空間上で再生専用のファイル構造と同じとなるよう関連情報とともに記録された追記型記録媒体から前記第２情報を再生する再生装置に備えられた集積回路であって、前記関連情報は、前記第１情報の第１のアドレス情報と前記第２情報の第２のアドレス情報とを関連付けるための情報であり、前記第２アドレス情報は、前記追記型記録媒体の交替領域に記録され、前記関連情報は、前記追記型記録媒体のリードイン領域に記録され、前記第２情報は、前記追記型記録媒体のユーザ領域に記録されており、前記再生装置は、前記第１情報を前記追記型記録媒体から再生するように、前記集積回路に指示するホスト装置をさらに備え、前記集積回路は、前記ホスト装置が、前記第１情報を前記追記型記録媒体から再生するように、前記集積回路に指示した場合、前記関連情報に基づいて、前記追記型記録媒体から第２のファイル構造を含む前記第２情報を再生するための制御部を備え、これにより上記目的を達成することができる。
【０１１２】
本発明の追記型記録媒体は、第１のファイル構造を含む第１情報と、第２のファイル構造を含む第２情報とが、論理的な空間上で再生専用のファイル構造と同じとなるよう関連情報とともに記録された追記型記録媒体であって、該関連情報は、前記第１情報の第１のアドレス情報と前記第２情報の第２のアドレス情報とを関連付ける情報であり、前記第２アドレス情報は、前記追記型記録媒体の交替領域に記録され、前記関連情報は、前記追記型記録媒体のリードイン領域に記録され、前記第２情報は、前記追記型記録媒体のユーザ領域に記録されており、これにより上記目的を達成することができる。
【発明の効果】
【０１１３】
本発明によれば、ホスト装置とドライブ装置とを備え、ドライブ装置によって第１情報と第２情報とを関連付けるための関連情報を生成し、第２情報と関連情報とを追記型記録媒体に記録することができる。したがって、ホスト装置によって関連情報を生成することなく、関連情報を追記型記録媒体に記録することができる。その結果、論理的な空間上では、再生専用または書換型のファイル構造と同じとなり、マルチボーダ方式のような追記型特有のファイルシステムを用いる必要がなくなる。
【０１１４】
さらに、更新情報を用いて更新する情報をファイル管理情報全部ではなくファイル管理情報の一部に限定することができる。したがって、ファイルの更新スピードを増すことができる。
【０１１５】
さらに、ファイル管理情報を記録するための領域とユーザデータを記録するための領域とを分離することができる。したがって、ファイル管理情報とユーザデータとが同じ領域に記録されることがなくなる。その結果、ファイル管理情報を読み出すスピードを増すことができる。
【０１１６】
さらに、スペースビットマップによってセクタ毎に空き領域を管理することなくトラックの最終記録位置（１つのセクタアドレス）で管理できる。
【０１１７】
さらに、更新する情報をファイル管理情報全部ではなくファイル管理情報の一部（ファイル管理情報を管理する情報）に限定することができる。したがって、ファイルの更新ス
ピードをさらに増すことができる。
【０１１８】
さらに、ファイル管理情報を更新することによって、空き領域を拡張することができる。したがって、空き領域がなくなった場合にも、空き領域を拡張することによって、データを記録するための領域を割り当てることができる。
【０１１９】
本発明によれば、ホスト装置とドライブ装置とを備え、ドライブ装置によって第１情報と第２情報とを関連付けるための関連情報に基づいて、追記型記録媒体から第２情報を再生することができる。したがって、ホスト装置によって第２情報を再生することなく、ドライブ装置によって第２情報を追記型記録媒体から再生することができる。その結果、ホスト装置のメモリに新しいファイルシステムを記録する必要がなくなる。
【０１２０】
さらに、更新する情報をファイル全部ではなくファイルの一部（ファイル管理情報）に限定することができる。したがって、ファイルの更新スピードを増すことができる。
【０１２１】
さらに、ファイル管理情報を記録するための領域とユーザデータを記録するための領域とを分離することができる。したがって、ファイル管理情報とユーザデータとが同じ領域に記録されることがなくなる。その結果、ファイル管理情報を読み出すスピードを増すことができる。
【０１２２】
さらに、更新する情報をファイル全部ではなくファイルの一部（ファイル管理情報を管理する情報）に限定することができる。したがって、ファイルの更新スピードをさらに増すことができる。
【０１２３】
本発明によれば、イメージデータを用いた効率の良いファイルの追記を行った時にでも、所定の領域の情報が代替機構により、書き換えることが出来るので、論理的な空間上では、再生専用のファイル構造と同じとなり、再生互換が実現される。
【０１２４】
本発明によれば、第１情報と第２情報とを関連付ける関連情報が記録媒体に記録される。関連情報に基づいて再生を行うことにより、再生システムが再生専用記録媒体または書換型記録媒体用の再生動作を行うことしかできないシステムであった場合でも、記録媒体から更新された情報である第２情報を正しく再生することができる。
【０１２５】
本発明によれば、ファイルの逐次記録を行った場合にでも、効率の良いファイルの追記が可能であり、なおかつ、データファイルへの高速なアクセスが実現される。
【発明を実施するための最良の形態】
【０１２６】
以下、本発明の実施の形態について、図面を参照しながら説明する。
【０１２７】
１．実施の形態１
１−１．追記型記録媒体
図１は、本発明の実施の形態１の追記型記録媒体１００を示す。
【０１２８】
図１Ａは、本発明の実施の形態１の追記型記録媒体１００の外観を示す。追記型記録媒体１００には、追記型記録媒体１００の最内周にリードイン領域１０１が、その次の領域にデータ領域１０２が、追記型記録媒体１００の最外周にリードアウト領域１０３が割り付けられている。リードイン領域１０１とデータ領域１０２とリードアウト領域１０３とは、同心円状である。
【０１２９】
リードイン領域１０１には、例えば、光ピックアップが追記型記録媒体１００にアクセ
スする時に必要な基準情報と、追記型記録媒体１００と他の追記型記録媒体との識別情報とが記録されている。リードアウト領域１０３にも、リードイン領域１０１と同様の情報が記録されている。
【０１３０】
データ領域１０２は、最小のアクセス単位であるセクタに分割されている。複数のセクタからなるＥＣＣブロック（または、ＥＣＣクラスタ）を最小の単位としてデータが記録または再生される。
【０１３１】
図１Ｂは、本発明の実施の形態１の追記型記録媒体１００に記録されているデータのデータ構造の一例を示す。図１Ｂでは、リードイン領域１０１とデータ領域１０２とリードアウト領域１０３とが横方向に表されている。
【０１３２】
リードイン領域１０１は、第１ディスク管理情報領域１０４を含む。リードアウト領域１０３は、第２ディスク管理情報領域１０５を含む。第１ディスク管理情報領域１０４および第２ディスク管理情報領域１０５のそれぞれには、ディスク管理情報（例えば、交替情報、セッション管理情報、トラック管理情報、空き領域管理情報）が記録される。
【０１３３】
データ領域１０２は、内周交替領域１０６と外周交替領域１０７とユーザ領域１０８とを含む。ユーザ領域１０８に欠陥領域が存在する場合には、内周交替領域１０６と外周交替領域１０７とのうちの少なくとも一部が欠陥領域の代わりに使用される。例えば、ユーザ領域１０８に欠陥セクタが存在する場合には、内周交替領域１０６と外周交替領域１０７とのうちの少なくとも一部が代替セクタとして使用される。内周交替領域１０６と外周交替領域１０７とのうちの少なくとも一部には、ユーザ領域１０８に記録された情報に関連する情報が記録される。
【０１３４】
なお、内周交替領域１０６および外周交替領域１０７のうちの少なくとも一方には、追加のディスク管理情報領域が設けられることがあり得る。追加のディスク管理情報領域には、ディスク管理情報が記録される。
【０１３５】
図２は、追記型記録媒体１００のデータ構造の一例を示す。図２において、図１を参照して説明された領域と同一の領域には同一の参照符号を付し、その説明を省略する。
【０１３６】
ユーザ領域１０８には、第１イメージデータ４０１が記録されている。第１イメージデータ４０１は、第１ユーザファイル４０５と第１ユーザファイル４０５に対応する第１ファイル構造４０３とを含む。第１ファイル構造４０３は、例えば、第１ユーザファイル４０５の記録位置、ファイルサイズおよびファイル名を含み、第１ユーザファイル４０５は、例えば、ビデオデータとオーディオデータとのうちの少なくとも一方を含む。
【０１３７】
追記型記録媒体１００には、物理アドレスと論理アドレスとが割り当てられている。物理アドレスは、例えば、位置「０」、位置「Ａ」、位置「Ｋ」、位置「Ｂ」、位置「Ｃ」、位置「Ｄ」、位置「Ｅ」および位置「Ｆ」によって示される。論理アドレスは、例えば、位置「０」、位置「ｉ」、位置「ｊ」、位置「ｋ」および位置「ｌ」によって示される。論理アドレス「ｉ」には、第１アドレス情報４０７が記録されている。第１アドレス情報４０７は、第１ファイル構造４０３の記録位置を示す位置情報を含む。第１ファイル構造４０３は、例えば、ＵＤＦ規格のメタデータパーティション（ＦＩＤ、ＦＥ等）に記録される。第１ファイル構造４０３を参照することによって、論理アドレス空間内のアドレス情報に基づいて、情報の配置や参照が行われる。
【０１３８】
図３は、追記型記録媒体１００のデータ構造の他の一例を示す。図３において、図１および図２を参照して説明された領域および情報と同一の領域および情報には同一の参照符
号を付し、その説明を省略する。
【０１３９】
追記型記録媒体１００には、物理アドレスと論理アドレスとが割り当てられている。物理アドレスは、例えば、上述したように、位置「０」、位置「Ａ」、位置「Ｋ」、位置「Ｂ」、位置「Ｃ」、位置「Ｄ」、位置「Ｅ」および位置「Ｆ」によって示され、さらに、位置「Ｈ」、位置「Ｉ」および位置「Ｊ」によって示される。論理アドレスは、例えば、上述したように、位置「０」、位置「ｉ」、位置「ｊ」、位置「ｋ」および位置「ｌ」によって示され、さらに、位置「ｍ」、位置「ｎ」および位置「ｏ」によって示される。
【０１４０】
ユーザ領域１０８には、第２イメージデータ４０２が記録されている。第２イメージデータ４０２は、第２ユーザファイル４０６と第２ユーザファイル４０６に対応する第２ファイル構造４０４とを含む。第２イメージデータ４０２は、第１イメージデータ４０１を更新（例えば、第１イメージデータ４０１に対するユーザファイルの追加や更新、ファイル構造の更新）することによって、生成される。
【０１４１】
第２ユーザファイル４０６は、例えば、ユーザの編集作業により生成される。第２ファイル構造４０４は、第２ユーザファイル４０６の記録に伴って、第１ファイル構造４０３を更新することによって、生成される。
【０１４２】
内周交替領域１０６には、第２アドレス情報４０８が記録されている。第２アドレス情報４０８は、第２ファイル構造４０４の記録位置を示す位置情報を含む。第２アドレス情報４０８は、第１アドレス情報４０７を更新することによって生成される。
【０１４３】
リードイン領域１０１には、第１アドレス情報４０７と第２アドレス情報４０８とを関連付けるための関連情報４０９が記録されている。関連情報４０９は、例えば、第１アドレス情報４０７が記録されている位置に割り当てられている論理アドレス「ｉ」に対応する物理アドレス「Ｃ」と、第２アドレス情報４０８が記録されている位置に割り当てられている物理アドレス「Ｋ」とを関連付けていることを示す。
【０１４４】
なお、関連情報４０９によって、論理アドレス「ｉ」と物理アドレス「Ｋ」とが関連付けられてもよい。第１アドレス情報４０７の論理アドレス「ｉ」と第２アドレス情報４０８の物理アドレス「Ｋ」とが関連付けられている場合でも、関連情報４０９によって、第１アドレス情報４０７と第２アドレス情報４０８とが関連付けられ得る。
【０１４５】
１−２．擬似上書き記録
本発明は、交替情報と交替領域（内周交替領域１０６、外周交替領域１０７）との組み合わせにより構成される代替機構を用いて、追記型記録媒体１００に擬似上書き記録を行う。疑似上書き記録では、データが記録されている領域の見かけ上の論理アドレスを変えることなく、実際にデータが記録される物理アドレスを別の場所にマッピングする。
【０１４６】
擬似上書き記録では、例えば、記録済みの論理アドレスにデータを上書きするよう指示された場合には、上書き前にデータが記録されていた物理アドレスとは別の物理アドレスに新しいデータを記録し、元の論理アドレスを維持するよう交替情報を更新する。その結果、見かけ上はデータが上書きされた状態を実現し得る。
【０１４７】
交替情報と交替領域とに基づく交替記録は、ベリファイ処理とともに実施される。ベリファイ処理では、データが記録された直後に、記録されたデータが再生され、記録されるデータと記録されたデータとが比較され、記録されたデータが正しく記録されているか否かが調べられる。
【０１４８】
ベリファイ処理時にエラーが生じた場合、すなわち、データが正しく記録されなかった場合には、交替記録が実施される。交替記録では、データは交替領域に記録し直される。このような手法は、リニアリプレイスメントとも呼ばれている。
【０１４９】
なお、イメージデータの記録時には、ベリファイ処理しないことにより、記録時間を短縮し得る。一方、擬似上書き記録では、交替領域にデータを記録する場合は、ベリファイ処理によりデータ記録の信頼性を向上し得る。
【０１５０】
図４は、交替情報の構造の一例を示す。交替情報は、例えば、交替管理情報リストによって示される。
【０１５１】
図４Ａは、交替管理情報リスト１０００のデータ構造を示す。交替管理情報リスト１０００は、疑似上書き記録のマッピングのために利用される。交替管理情報リスト１０００は、ヘッダ情報１００１と複数の交替管理情報とを含む。ヘッダ情報１００１は、例えば、複数の交替管理情報の数を示す。複数の交替管理情報のそれぞれは、複数のマッピングのうちの１つを示す。
【０１５２】
図４Ｂは、複数の交替管理情報のうちの１つの交替管理情報１０１０のデータ構造を示す。交替管理情報１０１０は、状態情報１０１１と、交替元位置情報１０１２と、交替先位置情報１０１３とを含む。
【０１５３】
状態情報１０１１は、マッピングに関する状態を示す。状態情報１０１１は、例えば、交替先位置情報１０１３が有効状態であるか無効状態であるかを示す。
【０１５４】
交替元（欠陥セクタ（または欠陥ＥＣＣブロック））の位置を示す交替元位置情報１０１２と、交替先の位置を示す交替先位置情報１０１３とを参照してマッピングが行われる。擬似上書き記録では、例えば、新たな交替管理情報１０１１を交替管理情報リスト１０００に追加することにより、元の論理アドレスに対して、新たなデータのマッピングが行われる。
【０１５５】
１−３．記録再生装置
図５は、本発明の実施の形態１の記録再生装置３００Ａを示す。記録再生装置３００Ａは、疑似上書き記録を実現する。情報記録再生システム３００Ａは、コンピュータシステム３２０と、ドライブ装置３３０とを備える。コンピュータシステム３２０はホスト装置（例えばパーソナルコンピュータ）として機能する。なお、情報記録再生システム３００Ａは、記録装置、再生装置および記録再生装置のうちの１つとして機能する。
【０１５６】
コンピュータシステム３２０は、システム制御部３２１と、第１メモリ３２２と、コンピュータメモリ３２４と、Ｉ／Ｏバス３２３とを備える。第１メモリ３２２は、例えば、一時メモリである。ドライブ装置３３０を介してコンピュータシステム３２０と追記型記録媒体１００との間でデータが転送される。
【０１５７】
システム制御部３２１は、第１メモリ３２２とコンピュータメモリ３２４とを制御する。システム制御部３２１は、例えば、第１メモリ３２２がコンピュータメモリ３２４とドライブ装置３３０との両方にデータを転送するように、第１メモリ３２２を制御する。第１メモリ３２２は、ファイル構造操作領域３２５と、データファイル領域３２６とを含む。さらに、システム制御部３２１は、第１メモリ３２２に格納された情報を追記型記録媒体１００に記録するように、ドライブ装置３３０に指示する。
【０１５８】
ドライブ装置３３０は、追記型記録媒体１００を搭載可能に構成されている。ドライブ
装置３３０は、ドライブ制御部３３１と、第２メモリ３３２と、内部バス３３３と、追記型記録媒体１００に情報を記録するためのヘッド部３３４とを備える。第２メモリ３３２は、例えば、一時メモリである。ドライブ装置３３０は、追記型記録媒体１００との間でデータを転送する。
【０１５９】
ドライブ制御部３３１は、第２メモリ３３２とヘッド部３３４とを制御する。ドライブ制御部３３１は、例えば、第２メモリ３３２とヘッド部３３４とが追記型記録媒体１００に情報を記録するように、さらに、第２メモリ３３２とヘッド部３３４とが追記型記録媒体１００から情報を再生するように第２メモリ３３２とヘッド部３３４とを制御する。
【０１６０】
なお、システム制御部３２１およびドライブ制御部３３１は、ＬＳＩ等の集積回路によって実現されてもよいし、汎用プロセッサとメモリ（例えばＲＯＭ）とによって実現されてもよい。メモリ（例えばＲＯＭ）にはコンピュータ（例えば汎用プロセッサ）が実行可能なプログラムが格納されている。このプログラムは上述および後述する本発明の再生処理および記録処理を示しており、コンピュータ（例えば汎用プロセッサ）はこのプログラムに従って、本発明の再生処理および記録処理を実行する。
【０１６１】
１−４．記録処理手順
図６は、本発明の実施の形態１の記録処理手順を示す。記録処理手順は、記録再生装置３００Ａによって実現される。
【０１６２】
以下、図２、図３、図４、図５、図６を参照して、本発明の実施の形態１の記録処理手順をステップごとに説明する。
【０１６３】
以下に説明されるステップを実行することによって、記録再生装置３００Ａは、図２を参照して説明されたデータ構造を有する追記型記録媒体１００に第２ユーザファイル４０６を記録し、図３を参照して説明されたデータ構造を有する追記型記録媒体１００を作成する。
【０１６４】
ステップＳ６６１：コンピュータシステム３２０のシステム制御部３２１は、第１イメージデータ４０１に含まれる第１ファイル構造４０３の再生をドライブ装置３３０のドライブ制御部３３１に命令する。システム制御部３２１は、再生された第１ファイル構造４０３を受け取り、第１メモリ３２２に含まれるファイル構造操作領域３２５に第１ファイル構造４０３を格納する。
【０１６５】
ステップＳ６６２：システム制御部３２１は、第２ユーザファイル４０６を準備する。第２ユーザファイル４０６は、ユーザの編集作業によって、第１イメージデータ４０１に含まれる第１ユーザファイル４０５に基づいて生成される。そして、システム制御部３２１は、ファイル構造操作領域３２５に格納されている第１ファイル構造４０３を更新することによって、第２ユーザファイル４０６の記録に関連する第２ファイル構造４０４を生成する。
【０１６６】
ステップＳ６６３：システム制御部３２１は、データファイル領域３２６を介して第２ファイル構造４０４と第２ユーザファイル４０６とを含む第２イメージデータ４０２をコンピュータメモリ３２４からドライブ装置３３０の第２メモリ３３２に転送する。
【０１６７】
ステップＳ６６４：ドライブ装置３３０のドライブ制御部３３１は、ヘッド部３３４が追記型記録媒体１００の空き領域に第２イメージデータ４０２を記録するように、ヘッド部３３４を制御する。
【０１６８】
ステップＳ６６５：コンピュータシステム３２０は、第１イメージデータ４０１から第２イメージデータ４０２への更新に応じて第１アドレス情報４０７を更新することによって、第２メモリ３２２に第２アドレス情報４０８（すなわちファイル構造４０４の位置を示す位置情報を含むアドレス情報）を生成する。そして、コンピュータシステム３２０は、第２アドレス情報４０８の上書き記録を行うように、ドライブ装置３３０に指示する。すなわち、第１アドレス情報４０７の論理アドレス「ｉ」に、第２アドレス情報４０８を記録するようドライブ装置３３０に指示する。
【０１６９】
ステップＳ６６６：指示された位置（論理アドレス「ｉ」）には、すでに第１アドレス情報４０７が記録されているので、ドライブ装置３３０は、第２アドレス情報４０８を内周交替領域１０６に記録する。
【０１７０】
ステップＳ６６７：ドライブ装置３３０のドライブ制御部３３１は、第１アドレス情報４０７と第２アドレス情報４０８とを関連付けるための関連情報４０９を第２メモリ３３２に生成する。ドライブ制御部３３１は、関連情報４０９を追記型記録媒体１００のリードイン領域１０１に記録する。
【０１７１】
関連情報４０９がリードイン領域１０１に記録された後、処理は、終了する。
【０１７２】
図６を参照して説明した記録処理手順では、論理アドレスが割り当てられた第１ファイル構造４０３を追記型記録媒体１００から第１メモリ３２２のファイル構造操作領域３２５に読み込む。したがって、コンピュータシステム３２０は、物理アドレスが割り当てられたファイル構造を論理アドレスが割り当てられたファイル構造に変換する必要がなくなる。その結果、コンピュータシステム３２０が、物理アドレスが割り当てられたファイル構造を論理アドレスが割り当てられたファイル構造に変換する機能を有しない場合でも、ファイル構造の更新および書き戻しが可能となる。
【０１７３】
本発明の実施の形態１の記録処理手順において説明したように、本発明の記録装置によれば、ホスト装置とドライブ装置とを備え、ドライブ装置によって第１情報と第２情報とを関連付けるための関連情報を生成し、第２情報と関連情報とを追記型記録媒体に記録することができる。したがって、ホスト装置によって関連情報を生成することなく、関連情報を追記型記録媒体に記録することができる。その結果、論理的な空間上では、再生専用のファイル構造と同じとなり、再生専用記録媒体または書換型記録媒体用の再生動作を行うことしかできないシステムでも、追記型記録媒体中のデータ再生が可能となる。
【０１７４】
１−５．再生処理手順
図７は、本発明の実施の形態１の再生処理手順を示す。再生処理手順は、記録再生装置３００Ａによって実現される。
【０１７５】
以下、図２、図３および図７を参照して、本発明の実施の形態１の再生処理手順をステップごとに説明する。
【０１７６】
以下に説明されるステップを実行することによって、記録再生装置３００Ａは、図３を参照して説明されたデータ構造を有する追記型記録媒体１００から第２ユーザファイル４０６を再生する。
【０１７７】
ステップＳ６８１：コンピュータシステム３２０のシステム制御部３２１は、第１アドレス情報４０７の論理アドレス「ｉ」を指定して、ドライブ装置３３０に、第１アドレス情報４０７の再生を指示する。
【０１７８】
ステップＳ６８２：ドライブ装置３３０のドライブ制御部３３１は、論理アドレス「ｉ」を物理アドレス「Ｃ」に変換する。そして、関連情報４０９を読み出して、物理アドレス「Ｃ」に関連付けられている物理アドレス値が存在するか否かを調べる。
【０１７９】
関連情報４０９は、第１アドレス情報４０７が記録されている論理アドレス「ｉ」に対応する物理アドレス「Ｃ」と、第２アドレス情報４０８が記録されている物理アドレス「Ｋ」とを関連付けている。したがって、ドライブ制御部３３１は、関連情報４０９を読み出すことにより、物理アドレス「Ｃ」に物理アドレス「Ｋ」が関連付けられていることを検出する。
【０１８０】
なお、関連情報４０９が第１アドレス情報４０７の論理アドレス「ｉ」と第２アドレス情報４０８の物理アドレス「Ｋ」とを関連付けることがあり得る。論理アドレス「ｉ」と物理アドレス「Ｋ」とが直接対応付けられている場合には、論理アドレス「ｉ」から物理アドレス「Ｃ」への変換は不要である。第１アドレス情報４０７の論理アドレス「ｉ」と第２アドレス情報４０８の物理アドレス「Ｋ」とが関連付けられている場合でも、関連情報４０９は第１アドレス情報４０７と第２アドレス情報４０８とを関連付けるための情報であると言える。
【０１８１】
ステップＳ６８３：ドライブ制御部３３１は、物理アドレス「Ｋ」に記録されている情報（すなわち第２アドレス情報４０８）を再生し、コンピュータシステム３２０に転送する。
【０１８２】
ステップＳ６８４：コンピュータシステム３２０のシステム制御部３２１は、転送された第２アドレス情報４０８から第２ファイル構造４０４の記録位置を示す論理アドレス（すなわち「ｎ」）を取得する。そして、システム制御部３２１は、ドライブ装置３３０に第２ファイル構造４０４の再生を指示する。
【０１８３】
ステップＳ６８５：指示を受け取ったドライブ装置３３０のドライブ制御部３３１は、ヘッド部３３４が第２ファイル構造４０４を再生するように、ヘッド部３３４を制御する。ドライブ制御部３３１は、再生された第２ファイル構造４０４をコンピュータシステム３２０に転送する。
【０１８４】
ステップＳ６８６：転送された第２ファイル構造４０４はコンピュータシステム３２０のファイル構造操作領域３２５に格納される。
【０１８５】
ステップＳＳ６８７：コンピュータシステム３２０のシステム制御部３２１は、ファイル構造操作領域３２５に格納された第２ファイル構造４０４に基づいて第２ユーザファイル４０６の記録位置を取得する。そして、システム制御部３２１は、この記録位置に基づいてドライブ装置３３０に第２ユーザファイル４０６の再生を指示する。
【０１８６】
ステップＳ６８８：指示を受け取ったドライブ装置３３０のドライブ制御部３３１は、再生指示された第２ユーザファイル４０６の位置に基づいてヘッド部３３４が第２ユーザファイル４０６を再生するように、ヘッド部３３４を制御する。ドライブ制御部３３１は、再生された第２ユーザファイル４０６をコンピュータシステム３２０に転送する。
【０１８７】
コンピュータシステム３２０は、受け取ったユーザファイル４０６を第１メモリ３２２またはコンピュータメモリ３２４に格納する。そして、コンピュータシステム３２０は、ユーザファイル４０６を再生し、映像の表示および音声の出力を行う。または、コンピュータシステム３２０は、ユーザファイル４０６を再生し、ビデオデータおよびオーディオデータの編集を実行する。
【０１８８】
ユーザファイル４０６の再生後、処理は、終了する。
【０１８９】
本発明の実施の形態１の再生処理手順によれば、コンピュータシステム３２０が、ドライブ装置３３０に所定の論理アドレス「ｉ」に記録された第１アドレス情報４０７の再生指示を行うだけで、最新のファイル構造の位置を示すアドレス情報（ここでは第２ファイル構造４０４の位置を示す第２アドレス情報４０８）を得ることができる。
【０１９０】
本発明の実施の形態１の再生処理手順において説明したように、本発明の再生装置によれば、ホスト装置とドライブ装置とを備え、ドライブ装置によって第１情報と第２情報とを関連付けるための関連情報に基づいて、追記型記録媒体から第２情報を再生することができる。したがって、ホスト装置によって第２情報を再生指示することなく、ドライブ装置によって第２情報を追記型記録媒体から再生することができる。その結果、論理的な空間上では、再生専用のファイル構造と同じとなり、再生専用記録媒体または書換型記録媒体用の再生動作を行うことしかできないシステムでも、追記型記録媒体中のデータ再生が可能となる。
【０１９１】
以上、図２〜図７を参照して、本発明の実施の形態１の記録処理手順と再生処理手順とを説明した。
【０１９２】
本発明の実施の形態１の記録処理手順と再生処理手順とによれば、コンピュータシステム３２０は、第２ユーザファイル４０６を記録するために、第１アドレス情報４０７を更新、上書き記録するようにドライブ装置３３０に指示する。そして、コンピュータシステム３２０は、第２ユーザファイル４０６を再生するために、第１アドレス情報４０７の論理アドレス「ｉ」をドライブ装置３３０に指示する。実際には、関連情報４０９を参照したドライブ装置３３０によって第２アドレス情報４０８を取得することができる。第２アドレス情報４０８に基づいて第２ユーザファイル４０６を再生することができる。すなわち、コンピュータシステム３２０にとっては、第１アドレス情報４０７の記録位置に、第２アドレス情報４０８が上書き記録されていることになる（擬似上書き記録）。
【０１９３】
１−６．空き領域管理
図８は、ユーザ領域１０８に含まれる空き領域を示す。ユーザ領域１０８に記録されるユーザデータの管理はファイルシステムを参照することによって行われる。ファイルシステムを参照することによって管理する空間をボリューム空間１０９と呼ぶ。
【０１９４】
ボリュウーム空間１０９のうち、空き領域（データが記録されていない領域）を管理する方式には、例えば、順次記録方式による空き領域管理とランダム記録方式による空き領域管理とがある。
【０１９５】
図８Ａは、順次記録方式による空き領域管理を説明するための図である。図８Ａに示されるボリューム空間１０９には、複数のセッション（例えば、セッション＃１およびセッション＃２）が割り付けられている。複数のセッションのそれぞれは、少なくとも１つのトラックを含む。トラックは、追記型記録媒体１００に含まれる連続領域からなり、トラック管理情報によって、管理される。セッションは、セッション管理情報によって管理される。
【０１９６】
例えば、セッション＃１は、トラック＃１とトラック＃２とを含み、セッション＃２は、トラック＃３とトラック＃４とを含む。トラック＃３は、記録済み領域と未記録領域１２２とを含む。記録済み領域と未記録領域１２２との境界位置は、トラック内最終データ記録位置１２１である。トラック＃３においては、トラック内最終データ記録位置１２１
以降の未記録領域１２２が空き領域であり、データの記録が可能である。データの記録が可能なトラックは記録可能トラックと呼ばれる。トラック＃４は、記録済み領域と未記録領域とを含む。記録済み領域と未記録領域との境界位置は、最終データ記録位置１２０である。
【０１９７】
以下、図８Ａ、図９Ａおよび図９Ｂを参照して、順次記録方式による空き領域管理を説明する。
【０１９８】
図９は、ディスク管理情報領域（図１Ｂ参照）に記録される情報のデータ構造を示す。ディスク管理情報領域には、ディスク管理情報が記録される。ディスク管理情報は、交替情報、セッション管理情報２００、トラック管理情報２１０および空き領域管理情報２２０を含む。
【０１９９】
図９Ａは、セッション管理情報２００のデータ構造を示す。セッション管理情報２００は、ヘッダ情報２０１と複数のトラック管理情報（トラック管理情報＃１、＃２、＃３、＃４）とを含む。ヘッダ情報２０１は、セッション管理情報２００の識別子、複数のトラック管理情報２１０の数を示す情報２０２を含む。ヘッダ情報２０１は、例えば、記録可能トラック（または、オープントラック）のトラック番号（記録可能トラック番号２０３、２０４）を示す情報を含む。何らかの理由（例えば、未記録領域が存在しない、ユーザの指示、等）により、記録可能でなくなったトラック、すなわち記録不可能トラック（または、クローズドトラック）のトラック番号を示す情報は、ヘッダ情報２０１には含まれない。
【０２００】
複数のトラック管理情報（トラック管理情報＃１、＃２、＃３、＃４）は複数のトラック（トラック＃１、＃２、＃３、＃４）（図８Ａ参照）に対応する。
【０２０１】
図９Ｂは、複数のトラック管理情報２１０のうちの１つのデータ構造を示す。トラック管理情報２１０は、対応するトラックがセッションの先頭トラックであるかどうかを示すセッション開始情報２１１、トラックの開始位置を示すトラック開始位置情報２１２、トラック内で最後にデータが記録された位置を示す最終データ記録位置情報２１３を含む。
【０２０２】
トラック管理情報２１０が管理するトラックがセッションの先頭に位置する場合は、セッション開始情報２１１はそのことを示す値（例えば「１」）に設定される。トラック管理情報２１０が管理するトラックがセッションの先頭に位置しない場合は、セッション開始情報２１１は異なる値（例えば「０」）に設定される。
【０２０３】
トラック開始位置情報２１２は、例えば、対応するトラックの開始位置を示す物理アドレスである。
【０２０４】
最終データ記録位置情報２１３は、例えば、対応するトラックで最後にデータが記録された位置を示す最終物理アドレスである。図８Ａでは、トラック内最終データ記録位置１２１がその一例である。記録可能トラック番号と最終データ記録位置情報２１３の情報を調べることにより、追記型記録媒体１００の空き領域を知ることが出来る。
【０２０５】
本実施の形態においては、トラック毎にデータの記録が可能である。データの記録は、複数のトラックのそれぞれの先頭から行われ、トラック内においては連続的にデータが配置される。データの記録が行われると、最後に記録された位置が最終データ記録位置情報２１３に反映される。
【０２０６】
そして、次に記録を再開する場合は、最新の最終データ記録位置情報２１３の値を調べ
ることにより、次の記録開始位置を知ることができる。一般には次の記録開始位置は、最終データ記録位置情報２１３で示される物理セクタの次の物理セクタである。あるいは、追記型記録媒体１００に、ＥＣＣブロックを最小単位としてデータが記録される場合は、最終データ記録位置情報２１３で示される物理セクタを含むＥＣＣブロックの次のＥＣＣブロックが次の記録開始位置である。
【０２０７】
本発明の一つの実施の形態として、データを記録するときに交替領域が浪費されることを防ぐ方法がある。擬似上書き記録に対応した追記型記録媒体に、セクタ単位のデータを記録する場合、実際の記録はＥＣＣブロック単位に行われる。例えば、ＥＣＣブロックが３２セクタで構成されるときに１セクタ分の記録を行うと、１ＥＣＣブロックが浪費されることになる。すなわち、記録されるセクタを含むＥＣＣブロックが読み出された後、記録すべきデータが追加されたＥＣＣブロックが、擬似上書きされるように指示され、交替領域に、このＥＣＣブロックのデータが記録されてしまう。このため、本発明では、既に記録されたＥＣＣブロックを使用しないように、最後に記録された位置を含むＥＣＣブロックの次のＥＣＣブロックの先頭からデータを記録する。その結果、交替領域の浪費を防ぐことができる。
【０２０８】
図８Ｂは、ランダム記録方式による空き領域管理を説明するための図である。図８Ｂに示されるボリューム空間１０９は、複数の記録済み記録領域と複数の未記録領域１１０とをランダムに含む。複数の記録済み記録領域のうちの最後の領域と複数の未記録領域１１０のうちの最後の領域との境界位置は、最終データ記録位置１２０である。
【０２０９】
以下、図１、図８、図９Ｃおよび図１０を参照して、ランダム記録方式による空き領域管理を説明する。
【０２１０】
記録済みのセクタ（あるいはＥＣＣブロック）を管理することにより、追記型記録媒体１００の任意の位置（物理アドレス）にデータを記録（一種のランダム記録）することが可能である。ランダム記録を実現するためには、追記型記録媒体１００の空き領域と最終データ記録位置とを管理する必要がある。例えば、ディスク管理情報に基づいて空き領域と最終データ記録位置とを管理する。ディスク管理情報は、第１ディスク管理情報領域１０４または第２ディスク管理情報領域１０５に記録される。
【０２１１】
なお、第２ディスク管理情報領域１０５に記録されるディスク管理情報は、ディスク管理情報領域１０４に記録されたディスク管理情報の複製や、ディスク管理情報領域１０４に格納しきれないディスク管理情報の一部であり得る。
【０２１２】
図９Ｃは、空き領域管理情報２２０のデータ構造を示す。空き領域管理情報２２０は、第１ディスク管理情報領域１０４に記録されたディスク管理情報に含まれる。空き領域管理情報２２０は、ヘッダ情報２２１、管理対象領域情報２２２および空き領域情報２２３を含む。
【０２１３】
ヘッダ情報２２１は、空き領域管理情報２２０の識別子等の一般的な情報である。管理対象領域情報２２２は、管理対象である領域を示す。管理対象である領域は、ユーザ領域１０８に含まれる複数のセクタを含む。管理対象領域情報２２２によって複数のセクタの未記録／記録済み状態が管理される。例えば、管理対象領域情報２２２は、管理対象である領域の開始位置、長さを示す。空き領域情報２２３は、管理対象である領域に含まれる複数のセクタのそれぞれが未記録であるか記録済みであるかを示す。例えば、複数のセクタのそれぞれには１ビットのデータが割り当てられる。セクタが未記録である場合には、１ビットのデータは「０」であり、セクタが記録済みである場合には、１ビットのデータは「１」である。空き領域情報２２３によって、管理対象である領域の全てのセクタの空
き状況を管理し得る。
【０２１４】
図９Ａおよび図９Ｃを参照して説明したように、セッション管理情報２００および空き領域管理情報２２０のいずれによっても、追記型記録媒体１００のセクタの空き状況を管理し得る。したがって、追記型記録媒体１００の用途に応じてセッション管理情報２００および空き領域管理情報２２０のうちのいずれかを使用しても良い。また、セッション管理情報２００および空き領域管理情報２２０の双方を使用することがあり得る。
【０２１５】
図１０は、ディスク構造情報１１００のデータ構造を示す。ディスク構造情報１１００は、ディスク管理情報に含まれる。
【０２１６】
ディスク構造情報１１００は、最終データ記録位置１２０を示す最終データ記録位置情報１１０７と記録種別情報１１０６に記録される。記録種別情報１１０６は、空き領域管理方式を示す情報（例えば、セッション管理情報２００および空き領域管理情報２２０のうちの少なくとも一方）を含む。
【０２１７】
ディスク構造情報１１００は、一般情報１１０１、最新の交替管理情報リスト１０００の位置を示す交替管理情報リスト位置情報１１０２、ユーザ領域１０８の開始位置を示すユーザ領域開始位置情報１１０３、ユーザ領域１０８の終端位置を示すユーザ領域終端位置情報１１０４、内周交替領域１０６および外周交替領域１０７の容量を示す交替領域情報１１０５および内周交替領域１０６および外周交替領域１０７の交替のために使用可能な領域を示す交替領域管理情報１１０８をさらに含む。
【０２１８】
交替領域情報１１０５に基づいて、追記型記録媒体１００に応じて内周交替領域１０６および第２交替領域１０７の容量を変更し得る。例えば、内周交替領域１０６および第２交替領域１０７の容量を０に指定し得る。
【０２１９】
ディスク構造情報１１００は、最新のセッション管理情報２００の位置を示すセッション管理情報位置情報１１０９、最新の空き領域管理情報２２０の位置を示す空き領域管理情報位置情報１１１０をさらに含む。
【０２２０】
以上、図１〜図１０を参照して、本発明の実施の形態１を説明した。
【０２２１】
本発明の実施の形態１によれば、コンピュータシステム３２０が再生専用記録媒体または書換型記録媒体用の再生動作を行うことしかできないシステムであった場合でも、追記型記録媒体１００からドライブ装置３３０が関連情報４０９を読み出すことにより、コンピュータシステム３２０は、追記型記録媒体１００から最新の情報（第２ユーザファイル４０６）を正しく再生することができる。関連情報４０９をドライブ装置３３０によって処理することにより、コンピュータシステム３２０でのディレクトリやファイルの再生手順は、再生専用及び書換型用の再生手順と完全に同じもとすることができ、コンピュータシステム３２０との幅広い再生互換が実現される。このように、本発明によれば、再生専用記録媒体または書換型記録媒体用の再生動作を行うことしかできないシステムとの再生互換性を有する追記型記録媒体が実現される。
【０２２２】
さらに、本発明の実施の形態１によれば、擬似上書き記録が論理アドレスに記録されるすべてのデータを対象として行われることなく、特定の情報（例えば、ファイルの管理情報やディレクトリ情報）のみを対象として行われれる。したがって、擬似上書き記録に必要とされる関連情報４０９の容量を所定の容量に制限できる。その結果、ドライブ装置３３０の実装が簡便にできる。
【０２２３】
さらに、本発明の実施の形態１によれば、データを記録した領域が欠陥や傷等の要因で記録できない場合、記録処理の直後であれば、擬似上書き記録を用いて正しく書き直すことができる。したがって、従来の追記型記録媒体では書き損じが生ずると、その追記型記録媒体は再利用できないが、本発明によれは、その追記型記録媒体の書き損じを修復することが可能になる。その結果、追記型記録媒体の製造コストを下げることができ、産業上、大きなメリットをもたらす。例えば、追記型記録媒体の製造時には、追記型記録媒体に欠陥が無いことが要求されていたが、本発明が利用されれば、追記型記録媒体の製造時の品質を下げることができ、追記型記録媒体の製造コストを更に下げることができる。
【０２２４】
２．実施の形態２
以下、図を参照して、本発明の実施の形態２を説明する。本発明の実施の形態２における擬似上書き記録および空き領域管理は、本発明の実施の形態１の「１−２．擬似上書き記録」および「１−６．空き領域管理」において説明された方法と同様の方法によって実現可能であるため、それらの説明は省略する。
【０２２５】
２−１．追記型記録媒体
図１１は、追記型記録媒体１００に記録されたファイルおよびディレクトリ階層構造の一例を示す。なお、以下の説明においては、ファイルシステムを構成するボリューム／ファイル構造は、例えば、ＩＳＯ／ＩＥＣ１３３４６規格あるいはＵＤＦ（Ｕｎｉｖｅｒｓａｌ  Ｄｉｓｋ  Ｆｏｒｍａｔ）規格に規定されたデータ構造を有する。さらに、メタデータパーティションやメタデータファイルは、ＵＤＦ規格のバージョン２．５で規定されているデータ構造を有する。
【０２２６】
追記型記録媒体１００のＲＯＯＴディレクトリ直下にディレクトリ（Ｄｉｒ−Ａ）とディレクトリ（Ｄｉｒ−Ｂ）とが記録されている。ディレクトリ（Ｄｉｒ−Ａ）直下には、データファイル（Ｆｉｌｅ−ａ）が記録されており、ディレクトリ（Ｄｉｒ−Ｂ）直下には、データファイル（Ｆｉｌｅ−ｂ）が記録されている。
【０２２７】
図１２は、追記型記録媒体１００のデータ構造の他の一例を示す。図１２において、図１および図２を参照して説明された領域と同一の領域には同一の参照符号を付し、その説明を省略する。なお、図１２を参照して説明される追記型記録媒体１００には、図１１を参照して説明したファイルおよびディレクトリ階層構造が記録されている。
【０２２８】
ボリューム空間１０９には、主ボリューム構造領域４１０と、物理パーティション４２０と、予備ボリューム構造領域４１１とが割り付けられている。物理パーティション４２０には、ＵＤＦ規格バージョン２．５で規定されている第１メタデータパーティション４３０と、第２メタデータパーティション４３１とが割り付けられている。物理パーティション４２０には、第１イメージデータ５００が記録されている。
【０２２９】
図１３は、第１イメージデータ５００のデータ構造の一例を示す。以下、図１２と図１３とを参照して、第１イメージデータ５００のデータ構造の一例を説明する。第１イメージデータ５００は、ファイルおよびディレクトリ階層構造（図１１参照）と、ファイルおよびディレクトリ階層構造を管理するための最新のファイル管理情報とをまとめて１つのファイルにすることによって生成される。
【０２３０】
第１イメージデータ５００は、第１メタデータパーティション４３０に記録されている第１メタデータファイル４４０と、第１メタデータファイル４４０の記録位置を示すファイルエントリー（ＦＥ）である第１ＦＥ（メタデータファイル）４４１と、第２メタデータパーティション４３１に記録されている第１メタデータミラーファイル４５０と、第１メタデータミラーファイル４５０の記録位置を示すファイルエントリー（ＦＥ）である第
１ＦＥ（メタデータミラーファイル）４５１と、データファイル（Ｆｉｌｅ−ａ）４６０と、データファイル（Ｆｉｌｅ−ｂ）４７０とを含む。
【０２３１】
なお、第１メタデータミラーファイル４５０は、第１メタデータファイル４４０の複製である。ファイル構造の情報（ＦＥやディレクトリファイルなど）は、すべて第１メタデータファイル４４０に含まれている。第１メタデータファイル４４０と第１メタデータミラーファイル４５０とは、何らかの理由（記録媒体に傷が付く、等）によるファイル管理情報の破壊を回避するため、離れた位置に配置されるのが望ましい。
【０２３２】
第１メタデータファイル４４０および第１メタデータミラーファイル４５０は、ファイル管理情報として、ファイル集合記述子４３３と、ＦＥ（ＲＯＯＴ）４４２と、ＦＥ（Ｄｉｒ−Ａ）４４３と、ＦＥ（Ｄｉｒ−ｂ）４４４と、ＦＥ（Ｆｉｌｅ−ａ）４４５と、ＦＥ（Ｆｉｌｅ−ｂ）４４５とを含む。
【０２３３】
図１４は、第１メタデータファイル４４０のデータ構造の他の一例を示す。他の一例は、ディレクトリ階層に着目してファイル管理情報が配置されている。すなわち、ディレクトリ（Ｄｉｒ−Ａ）およびディレクトリ（Ｄｉｒ−Ａ）の階層化のデータファイル（Ｆｉｌｅ−ａ）が続けて配置され、その次に、ディレクトリ（Ｄｉｒ−Ｂ）およびディレクトリ（Ｄｉｒ−Ｂ）の階層化のデータファイル（Ｆｉｌｅ−ｂ）が続けて配置されている。
【０２３４】
図１４に示されるデータ配置では、特定の応用を想定した場合において、効率的なデータアクセスが可能となる。
【０２３５】
なお、特定の応用（例えば、ＴＶの番組録画）のためのデータを記録するディレクトリ階層を定めた上で、ディレクトリ下のファイルやディレクトリを近傍に配置するようにしてもよい。複数のＦＥ（メタデータファイル）のそれぞれが、ＥＣＣブロックの先頭に配置されるように、複数のＦＥの間にパディングデータ（例えば値がすべて０のデータ）を記録することがあり得る。さらに、ＦＥとメタデータミラーファイルとの間にパディングデータ（例えば値がすべて０のデータ）を記録することがあり得る。
【０２３６】
図１５は、ボリューム構造およびファイル構造に含まれるデータ間の参照関係を示す。以下、図１３および図１５を参照して、ボリューム構造およびファイル構造に含まれるデータ間の参照関係を説明する。
【０２３７】
ＵＤＦ規格で規定されるボリューム構造およびファイル構造は、アドレス情報の位置を示す開始ボリューム記述子ポインタ６００（以降、ＡＶＤＰ６００）を起点とする。ＡＶＤＰ６００は、追記型記録媒体１００の所定の位置に記録されている。ＡＶＤＰ６００は、例えば、主ボリューム構造領域４１０の記録位置を示す。
【０２３８】
主ボリューム構造領域４１０には、論理ボリューム記述子６０１が記録されている。論理ボリューム記述子６０１は、第１メタデータパーティション４３０に記録されているファイル集合記述子４３３の記録位置を示す。
【０２３９】
ファイル集合記述子４３３の記録位置情報を参照することによって、ファイル構造を順次検索し、例えばデータファイル（Ｆｉｌｅ−ａ）４６０にアクセスすることが可能となる。
【０２４０】
また、第１メタデータミラーファイル４５０には第１メタデータファイル４４０の複製が記録されているので、第１メタデータミラーファイル４５０を参照することによっても、データファイル（Ｆｉｌｅ−ａ）４６０を読み出すことが可能である。
【０２４１】
論理ボリューム記述子６０１は、区画マップ（タイプ２）６０２を含む。区画マップ（タイプ２）６０２は、第１ＦＥ（メタデータファイル）４４１と第１ＦＥ（メタデータミラーファイル）４５１との記録位置を示す。
【０２４２】
第１ＦＥ（メタデータファイル）４４１は、第１メタデータファイル４４０の記録位置を示す。第１ＦＥ（メタデータファイル）４４１を参照することによって、第１メタデータパーティション４３０の割付位置を検出することがあり得る。
【０２４３】
図１６Ａは、主ボリューム構造領域４１０のデータ構造の一例を示す。主ボリューム構造領域４１０には、論理ボリューム記述子６０１と開始ボリューム記述子ポインタ６００とが記録されている。
【０２４４】
論理ボリューム記述子６０１は、区画マップ（タイプ１）１２００と、メタデータファイル位置情報１２０１と、メタデータミラーファイル位置情報１２０２と、フラグ１２０３とを含む。
【０２４５】
区画マップ（タイプ１）１２００は、物理パーティションを管理するための情報である。メタデータファイル位置情報１２０１は、第１ＦＥ（メタデータファイル）４４１の位置を示す。メタデータミラーファイル位置情報１２０２は、第１ＦＥ（メタデータミラーファイル）４５１の位置を示す。フラグ１２０３は、ＵＤＦ規格のオプション機能である第１メタデータミラーファイル４５０が追記型記録媒体１００に記録されているか否かを示す。
【０２４６】
図１６Ｂは、予備ボリューム構造領域４１１のデータ構造の一例を示す。予備ボリューム構造領域４１１には、主ボリューム構造領域４１０に記録されている情報と同様の情報が記録されている（図２２Ａ参照）。予備ボリューム構造領域４１１には、例えば、第二開始ボリューム記述子ポインタと第三開始ボリューム記述子ポインタとが記録されている。
【０２４７】
なお、主ボリューム構造領域４１０および予備ボリューム構造領域４１１のデータ構造には、ダミーのデータ（例えば００ｈ）が配置され、データ構造の区切りがＥＣＣブロックの境界と一致させるようにすることがあり得る。さらに、例えば、主ボリューム構造領域４１０および予備ボリューム構造領域４１１に含まれる開始ボリューム記述子ポインタ、基本ボリューム記述子、論理ボリューム記述子６０１および論理ボリューム保全記述子がＥＣＣブロックの先頭から配置されることがあり得る。さらに、ユーザ領域１０８に複数のトラックを割り当て、複数の開始ボリューム記述子ポインタのそれぞれを複数のトラックに記録することがあり得る。
【０２４８】
図１７は、追記型記録媒体１００に記録されたファイルおよびディレクトリ階層構造の一例を示す。
【０２４９】
図１７に示されたファイルおよびディレクトリ階層構造では、図１１に示されたファイルおよびディレクトリ階層構造に対して、追記型記録媒体１００のＲＯＯＴディレクトリ直下にディレクトリ（Ｄｉｒ−Ｃ）が記録されている。ディレクトリ（Ｄｉｒ−Ｃ）直下には、データファイル（Ｆｉｌｅ−ｃ）とデータファイル（Ｆｉｌｅ−ｄ）とが記録されている。
【０２５０】
図１８は、追記型記録媒体１００のデータ構造の他の一例を示す。図１８において、図１および図１２を参照して説明された領域と同一の領域には同一の参照符号を付し、その
説明を省略する。なお、図１８を参照して説明される追記型記録媒体１００には、図１７を参照して説明したファイルおよびディレクトリ階層構造が記録されている。
【０２５１】
ボリューム空間１０９に割り付けられている物理パーティション４２０には、第２イメージデータ６５０が記録されている。
【０２５２】
図１９は、第２イメージデータ６５０のデータ構造の一例を示す。以下、図１８と図１９とを参照して、第２イメージデータ６５０のデータ構造の一例を説明する。
【０２５３】
第２イメージデータ６５０は、第２ＦＥ（メタデータファイル）６２１、第２メタデータファイル６２０、データファイル（Ｆｉｌｅ−ｃ）６３０、データファイル（Ｆｉｌｅ−ｄ）６３１、第２ＦＥ（メタデータミラーファイル）６１２および第２メタデータミラーファイル６１３を含む。
【０２５４】
第２メタデータファイル６２０は、ディレクトリ（Ｄｉｒ−Ｃ）、データファイル（Ｆｉｌｅ−ｃ）およびデータファイル（Ｆｉｌｅ−ｄ）に対するファイル管理情報（ＦＥ（Ｄｉｒ−Ｃ）６２２、ＦＥ（Ｆｉｌｅ−ｃ）６２３およびＦＥ（Ｆｉｌｅ−ｄ）６２４）を含む。また、第２メタデータミラーファイル６１３には、第２メタデータファイル６２０の複製データが含まれる。
【０２５５】
ＦＥ（メタデータファイル）６２１は、交替領域１０６に、ＦＥ（メタデータファイル）６４０として記録される。ＦＥ（メタデータファイル）６４０は、第２メタデータファイル６２０の記録位置を示す。さらに、第１ディスク管理情報領域１０４に記録されたディスク管理情報に含まれる交替情報が更新され、第１ＦＥ（メタデータファイル）４４１がＦＥ（メタデータファイル）６４０にマッピングされる。さらに、第１ＦＥ（メタデータミラーファイル）４５１に関しても同様に疑似上書き記録が実施され、第１ＦＥ（メタデータミラーファイル）４５１が、ＦＥ（メタデータミラーファイル）６４１にマッピングされる。
【０２５６】
なお、ＦＥ（メタデータファイル）６４０とＦＥ（メタデータミラーファイル）６４１とは異なる交替領域に記録されることが望ましい。ＦＥ（メタデータミラーファイル）６４１は、ＦＥ（メタデータミラーファイル）６４０の複製データである。ＦＥ（メタデータミラーファイル）６４１は、ＦＥ（メタデータミラーファイル）６４０のデータ破損に備えるためのデータである。ＦＥ（メタデータファイル）６４０とＦＥ（メタデータミラーファイル）６４１とは物理的に離れた領域に記録される場合には、データ破損に対する耐性が強まる。
【０２５７】
なお、疑似上書き記録を実現するために、第２交替領域１０７の容量は、内周交替領域１０６と同じが、それ以上であることが望ましい。内周交替領域１０６の容量と第２交替領域１０７の容量とは、交替領域情報１１０５によって示される。
【０２５８】
２−２．記録再生装置
図２０は、本発明の実施の形態２の記録再生装置３００Ｂを示す。記録再生装置３００Ｂは、疑似上書き記録（「１−２．疑似上書き記録」参照）を実現する。記録再生システム３００Ｂは、ホスト装置３０５と、ドライブ装置３１０とを備える。ホスト装置３０５は、例えば、コンピュータシステムあるいはパーソナルコンピュータであり得る。情報記録再生システム３００Ｂは、記録装置、再生装置および記録再生装置のうちの１つとして機能する。
【０２５９】
ホスト装置３０５は、システム制御部３０１と、第１メモリ回路３０２と、磁気ディス
ク装置３０４と、Ｉ／Ｏバス３０３とを備える。ドライブ装置３１０を介してホスト装置３０５と追記型記録媒体１００との間でデータが転送される。
【０２６０】
システム制御部３０１は、第１メモリ回路３０２と磁気ディスク装置３０４とを制御する。システム制御部３０１は、例えば、第１メモリ回路３０２が磁気ディスク装置３０４とドライブ装置３１０との両方にデータを転送するように、第１メモリ回路３０２を制御する。
【０２６１】
システム制御部３０１は、演算用メモリを含むマイクロプロセッサを含み、システムの制御プログラムを実行する。システム制御部３０１は、例えば、ファイルシステムのボリューム構造／ファイル構造の記録・再生、メタデータパーティション／ファイル構造の記録・再生、ファイルの記録・再生およびリードイン／リードアウト領域に対するデータの記録・再生を行う。
【０２６２】
第１メモリ回路３０２は、ボリューム構造、ファイル構造、メタデータパーティション／ファイル構造およびファイルの演算や一時保存に使用される。
【０２６３】
ドライブ装置３１０は、ドライブ制御部３１１と、第２メモリ回路３１２と、内部バス３１３と、記録再生部３１４とを備える。記録再生部３１４は、例えば、ヘッド部であり得る。ドライブ装置３１０は、追記型記録媒体１００を搭載可能に構成されている。ドライブ装置３１０は、追記型記録媒体１００との間でデータを転送する。
【０２６４】
ドライブ制御部３１１は、演算用メモリを含むマイクロプロセッサを含み、ドライブの制御プログラムを実行する。ドライブ制御部３１１は、ディスク管理情報領域や交替領域に対するデータの記録・再生、疑似上書き記録・再生の処理の制御や演算を行う。ドライブ制御部３１１は、第２メモリ回路３１２と記録再生部３１４とを制御する。ドライブ制御部３１１は、例えば、第２メモリ回路３１２と記録再生部３１４とが追記型記録媒体１００に情報を記録するように、さらに、第２メモリ回路３１２と記録再生部３１４とが追記型記録媒体１００から情報を再生するように第２メモリ回路３１２と記録再生部３１４とを制御する。
【０２６５】
なお、システム制御部３０１およびドライブ制御部３１１は、ＬＳＩ等の集積回路によって実現されてもよいし、汎用プロセッサとメモリ（例えばＲＯＭ）とによって実現されてもよい。メモリ（例えばＲＯＭ）にはコンピュータ（例えば汎用プロセッサ）が実行可能なプログラムが格納されている。このプログラムは上述および後述する本発明の再生処理および記録処理を示しており、コンピュータ（例えば汎用プロセッサ）はこのプログラムに従って、本発明の再生処理および記録処理を実行する。
【０２６６】
２−３．記録処理手順
図２１は、本発明の実施の形態２の記録処理手順を示す。記録処理手順は、記録再生装置３００Ｂによって実現される。
【０２６７】
以下、図１２、図１８、図２０および図２１を参照して、本発明の実施の形態２の記録処理手順をステップごとに説明する。
【０２６８】
以下に説明されるステップを実行することによって、記録再生装置３００Ｂは、図１２を参照して説明されたデータ構造を有する追記型記録媒体１００に第２イメージデータ６５０を記録し、図１８を参照して説明されたデータ構造を有する追記型記録媒体１００を作成する。
【０２６９】
ステップＳ１０１：第２イメージデータ６５０の記録に先立ち、ホスト装置３０５のシステム制御部３０１およびドライブ装置３１０のドライブ制御部３１１は、追記型記録媒体１００のディスク管理領域等から、データの記録再生に必要なデータを読み出す。例えば、第１イメージデータ５００を記録するには、第１イメージデータ５００をあらかじめ磁気ディスク装置３０４に作成しておく。そして、主ボリューム構造領域４１０および予備ボリューム構造領域４１１に含まれる情報を記録した後、第１イメージデータ５００をボリューム空間１０９に記録することによって、図１２に示されるデータ構造が実現される。なお、予備ボリューム構造領域４１１は第１イメージデータ５００の後に記録してもよい。
【０２７０】
ステップＳ１０２：ホスト装置３０５のシステム制御部３０１は、第２イメージデータ６５０を磁気ディスク装置３０４から読み出して、ホスト装置３０５の第１メモリ回路３０２に転送する。さらに、システム制御部３０１は、ＦＥ（メタデータファイル）６２１を第１メモリ回路３０２に格納する。
【０２７１】
ステップＳ１０３：システム制御部３０１は、第２イメージデータ６５０の記録をドライブ装置３１０に指示する。
【０２７２】
ステップＳ１０４：ドライブ装置３１０のドライブ制御部３１１は、第２イメージデータ６５０を第１メモリ回路３０２からドライブ装置３１０の第２メモリ回路３１２に転送する。
【０２７３】
ステップＳ１０５：ドライブ制御部３１１は、セッション管理情報２００や、空き領域管理情報２２０を参照して、追記型記録媒体１００の未記録の連続領域に第２イメージデータ６５０を記録する。
【０２７４】
ステップＳ１０６：システム制御部３０１は、第１メモリ回路３０２に格納されているＦＥ（メタデータファイル）６２１をＦＥ（メタデータファイル）４４１に対して、疑似上書き記録するよう、ドライブ装置３１０に指示する。
【０２７５】
ステップＳ１０７：ドライブ装置３１０は、メモリ回路３０２から転送される第２ＦＥ（メタデータファイル）６２１を追記型記録媒体１００の内周交替領域１０６に、ＦＥ（メタデータファイル）６４０として記録する。さらに、ドライブ装置３１０は、第１ディスク管理情報領域１０４に記録されたディスク管理情報に含まれる交替情報を更新し、第１ＦＥ（メタデータファイル）４４１をＦＥ（メタデータファイル）６４０にマッピングする。ＦＥ（メタデータファイル）６４０は第２メタデータファイル６２０の記録位置を示すアドレス情報である。すなわち、新たな交替管理情報１０１０が生成される。新たな交替管理情報１０１０は、第１ＦＥ（メタデータファイル）４４１の位置を示す交替元位置情報１０１２およびＦＥ（メタデータファイル）６４０の位置を示す交替先位置情報１０１３を含む。そして、この新たな交替管理情報１０１０が交替管理情報リスト１０００へ追加される。さらに、第１ＦＥ（メタデータミラーファイル）４５１に関しても同様に疑似上書き記録が実施され、第１ＦＥ（メタデータミラーファイル）４５１が、ＦＥ（メタデータミラーファイル）６４１にマッピングされる。以上の処理により、第１ＦＥ（メタデータファイル）４４１を参照していた区画マップ（タイプ２）６０２は、第２ＦＥ（メタデータファイル）６２１を参照するようになる（図１５参照）。
【０２７６】
ステップＳ１０８：記録処理の結果を反映するために、ディスク管理情報が更新される。例えば、最終データ記録位置情報１１０７が更新される。また、第２イメージデータ６５０の記録に応じて、セッション管理情報２００や、空き領域管理情報２２０が最新の状態に更新される。また、この時点で交替管理情報リスト１０００が更新されることがあり
得る。
【０２７７】
ディスク管理情報が更新された後、処理は、終了する。
【０２７８】
２−４．再生処理手順
図２２は、本発明の実施の形態２の再生処理手順を示す。再生処理手順は、記録再生装置３００Ｂによって実現される。
【０２７９】
以下、図１２、図１８および図２２を参照して、本発明の実施の形態２の再生処理手順をステップごとに説明する。
【０２８０】
以下に説明されるステップを実行することによって、記録再生装置３００Ｂは、図１８を参照して説明されたデータ構造を有する追記型記録媒体１００からデータファイル（Ｆｉｌｅ−ａ）４６０を再生する。
【０２８１】
ステップＳ２０１：ホスト装置３０５のシステム制御部３０１は、ドライブ装置３１０に指示を出し、追記型記録媒体１００の所定の位置（例えば、論理アドレス「２５６」）に記録されているＡＶＤＰ６００を再生する。
【０２８２】
ステップＳ２０２：システム制御部３０１は、ＡＶＤＰ６００に含まれている主ボリューム構造４１０の位置情報を取得する。システム制御部３０１は、主ボリューム構造４１０を再生するようドライブ装置３１０に指示を出す。システム制御部３０１は、さらに、主ボリューム構造４１０に含まれる第１ＦＥ（メタデータファイル）４４１の位置情報（論理アドレス）を取得する。
【０２８３】
ステップＳ２０３：システム制御部３０１は、ファイル構造の再生を行う。ファイル構造の再生のため、システム制御部３０１は、取得した第１ＦＥ（メタデータファイル）４４１の位置情報（論理アドレス）に基づいて、ドライブ装置３１０に再生の指示を出す。
【０２８４】
ステップＳ２０４：ドライブ装置３１０は、交替管理情報リスト１０００を参照し、第１ＦＥ（メタデータファイル）４４１の位置情報（論理アドレス）に対応した交替元位置情報１０１２として保持している交替管理情報１０１０を検索する。対応する交替管理情報１０１０が見つかったら、そこに含まれる交替先位置情報１０１３を取得する。その結果、ＦＥ（メタデータファイル）６４０の位置情報が得られるので、ドライブ装置３１０は、ＦＥ（メタデータファイル）６４０を再生してシステム制御部３０１にＦＥ（メタデータファイル）６４０を返信する。
【０２８５】
なお、ＦＥ（メタデータファイル）６４０は、第２ＦＥ（メタデータファイル）６２１と同じ情報を含んでいる。したがって、システム制御部３０１は、取得したＦＥ（メタデータファイル）６４０の情報から、第２メタデータファイル６２０の位置情報を得て、最新のファイル管理情報が含まれているメタデータファイル６２０にアクセス可能となる。
【０２８６】
ステップＳ２０５：ドライブ装置３１０のドライブ制御部３１１は、記録再生部３１４がデータファイル（Ｆｉｌｅ−ａ）４６０を再生するように、記録再生部３１４を制御する。通常のＵＤＦ規格の再生手順により、データファイル（Ｆｉｌｅ−ａ）４６０が再生される。
【０２８７】
データファイル（Ｆｉｌｅ−ａ）４６０の再生後、処理は、終了する。
【０２８８】
なお、本発明の実施の形態２の再生処理手順の説明においては、メタデータミラーファ
イルの扱いに関する説明を省略したが、必要に応じてメタデータファイルと同様にメタデータミラーファイルを記録、再生することがあり得る。
【０２８９】
本発明の実施の形態２の再生処理手順において説明したように、交替情報と交替領域とで構成される代替機構により、所定の領域の情報を擬似的に書き換えることができるので、論理的な空間上では、再生専用のファイル構造と同じとなり、再生専用記録媒体または書換型記録媒体用の再生動作を行うことしかできないシステムでも、追記型記録媒体中のデータ再生が可能となる。
【０２９０】
また、イメージデータを用いた効率的なデータ追記を行え、かつ、リードイン（ボーダーイン）領域やリードアウト（ボーダーアウト）領域等の検索を行わずとも最新のファイル構造に高速にアクセスすることが可能となる。
【０２９１】
また、最小限のデータだけを疑似上書きにより更新するようにしたので、交替処理の負担を軽減でき、かつ、交替領域の消費を押さえることが可能となる。
【０２９２】
３．実施の形態３
以下、図を参照して、本発明の実施の形態３を説明する。
【０２９３】
図２３および図２４は、本発明の実施の形態３における追記型記録媒体１００のデータ構造の一例を示す。本発明の実施の形態３における追記型記録媒体１００には、データファイル（Ｆｉｌｅ−ｃ）７００、ＦＥ（Ｆｉｌｅ−ｃ）７０１およびＦＥ（ＲＯＯＴ）７０２が記録されること、および本発明の実施の形態３における追記型記録媒体１００のデータ構造が、本発明の実施の形態２の「２−１．追記型記録媒体」において説明されたデータ構造とはデータの記録位置が異なる以外は、本発明の実施の形態３における追記型記録媒体１００のデータ構造と本発明の実施の形態２の「２−１．追記型記録媒体」において説明されたデータ構造とは同様である。したがって、図２３および図２４において、図１、図１２および図１８を参照して説明されたデータと同一のデータには同一の参照符号を付し、その説明を省略する。
【０２９４】
ただし、図１２および図１８においては説明を省略したトラック構造について、図２３および図２４ではその一例を示している。
【０２９５】
図２３および図２４ではボリューム空間１０９に複数のトラックが割り付けられている。トラック＃１  ４０１ｂは、主ボリューム構造４１０および第１メタデータファイル４４０を記録するためのトラックとして、情報記録媒体１００をフォーマット処理した時点で割り付けられている。
【０２９６】
一方、トラック＃２  ４０２ｂは、第２メタデータミラーファイル４５０を記録するためのトラックとして、情報記録媒体１００をフォーマット処理した時点で割り付けられている。
【０２９７】
さらに、追記型記録媒体のボリューム構造およびファイル構造に含まれるデータ間の参照関係は、図１３および図１５を参照して説明された参照関係と同様であるため、その説明を省略する。
【０２９８】
さらに、本発明の実施の形態３における記録再生装置３００は、本発明の実施の形態２の「２−２．記録再生装置」において説明された構成と同様の構成を有するため、その説明を省略する（図２０参照）。
【０２９９】
さらに、本発明の実施の形態３における擬似上書き記録および空き領域管理は、本発明の実施の形態１の「１−２．擬似上書き記録」および「１−６．空き領域管理」において説明された方法と同様の方法によって実現可能であるため、それらの説明は省略する。
【０３００】
３−１．記録処理手順
図２５は、本発明の実施の形態３の記録処理手順を示す。記録処理手順は、記録再生装置３００によって実現される。
【０３０１】
以下、図２０、図２３、図２４および図２５を参照して、本発明の実施の形態３の記録処理手順をステップごとに説明する。
【０３０２】
以下に説明されるステップを実行することによって、記録再生装置３００は、図２３に示されたデータ構造を有する追記型記録媒体１００のＲＯＯＴディレクトリ直下に磁気ディスク装置３０４に存在するデータファイル（Ｆｉｌｅ−ｃ）を記録し、図２４に示されたデータ構造を有する追記型記録媒体１００を作成する。
【０３０３】
ステップＳ１１１：データファイル（Ｆｉｌｅ−ｃ）の記録が開始されると、ホスト装置３０５のシステム制御部３０１は、データファイル（Ｆｉｌｅ−ｃ）を磁気ディスク装置３０４から読み出して、メモリ回路３０２に転送する。
【０３０４】
さらに、システム制御部３０１は、データファイル（Ｆｉｌｅ−ｃ）の追加のために必要なファイル構造の情報を生成、更新し、第１メモリ回路３０２に保持する。具体的には、システム制御部３０１は、ＦＥ（Ｆｉｌｅ−ｃ）７０１を生成し、ＦＥ（ＲＯＯＴ）７０２を更新する。なお、ＲＯＯＴディレクトリファイルはＦＥ（ＲＯＯＴ）７０２に含まれる。
【０３０５】
ステップＳ１１２：システム制御部３０１は、データファイル（Ｆｉｌｅ−ｃ）の記録をドライブ装置３１０に指示する。この時、ドライブ装置３１０は、必要に応じてセッション管理情報２００や、空き領域管理情報２２０を参照して、未記録領域４３０に、データファイル（Ｆｉｌｅ−ｃ）７００を記録する。
【０３０６】
ステップＳ１１３：システム制御部３０１は、第１メモリ回路３０２に保持されているＦＥ（Ｆｉｌｅ−ｃ）７０１を記録するよう、ドライブ装置３１０に指示する。この時、ＦＥ（Ｆｉｌｅ−ｃ）７０１は、第１メタデータパーティション４３０（すなわち第１メタデータファイル４４０）の未記録領域４４５に記録される。一方、システム制御部３０１は、ＦＥ（ＲＯＯＴ）７０２をＦＥ（ＲＯＯＴ）４４２に対して、疑似上書き記録するよう、ドライブ装置３１０に指示する。指示を受けたドライブ装置３１０は、メモリ回路３０２から転送されるＦＥ（ＲＯＯＴ）７０２を内周交替領域１０６に記録する。さらに、第１ディスク管理情報１０４に含まれる交替情報を更新し、ＦＥ（ＲＯＯＴ）４４２をＦＥ（ＲＯＯＴ）７０２にマッピングする。
【０３０７】
ファイル構造が記録された後、必要な処理（空き領域の管理、等）が行われ、処理が終了する。
【０３０８】
なお、本発明の実施の形態３の記録処理手順の説明においては、第１メタデータミラーファイル４５０の扱いに関する説明を省略したが、必要に応じてメタデータファイルと同様にメタデータミラーファイルを記録、再生することがあり得る。
【０３０９】
また、第１メタデータパーティション４３０／第１メタデータファイル４４０の全領域は、第１ＦＥ（メタデータファイル）４４１に含まれるアロケーションディスクリプタに
よって、「割付済みかつ記録済み」として管理されている。したがって、ＦＥ（Ｆｉｌｅ−ｃ）７０１を新たに追記する処理を行ったとしても、第１ＦＥ（メタデータファイル）４４１の保持する情報を更新する必要が無くなり、システムを構成する上で好都合である。この時、第１メタデータパーティション４３０／第１メタデータファイル４４０の空き領域の管理は、トラック管理情報や空き領域管理情報により実現可能である。
【０３１０】
３−２．再生処理手順
図２６は、本発明の実施の形態３の再生処理手順を示す。再生処理手順は、記録再生装置３００によって実現される。
【０３１１】
以下、図２３、図２４および図２６を参照して、本発明の実施の形態３の再生処理手順をステップごとに説明する。
【０３１２】
以下に説明されるステップを実行することによって、記録再生装置３００は、図２４を参照して説明されたデータ構造を有する追記型記録媒体１００からデータファイル（Ｆｉｌｅ−ｃ）７００を再生する。
【０３１３】
ステップＳ２１１：ホスト装置３０５のシステム制御部３０１は、ドライブ装置３１０に指示を出し、追記型記録媒体１００の所定の位置（例えば、論理アドレス「２５６」）に記録されているＡＶＤＰ６００を再生する。
【０３１４】
ステップＳ２１２：システム制御部３０１は、ＡＶＤＰ６００に含まれている主ボリューム構造４１０の位置情報を取得する。システム制御部３０１は、主ボリューム構造４１０を再生するようドライブ装置３１０に指示を出す。システム制御部３０１は、さらに、主ボリューム構造４１０に含まれる第１ＦＥ（メタデータファイル）４４１の位置情報を取得する。システム制御部３０１は、さらに、主ボリューム構造４１０に含まれるファイル集合記述子４３３の位置情報を取得する。
【０３１５】
ステップＳ２１３：システム制御部３０１は、ファイル構造の再生を行う。ファイル構造の再生のため、システム制御部３０１は、取得したＦＥ（メタデータファイル）４４１とファイル集合記述子４３３の位置情報に基づいて、ドライブ装置３１０にファイル集合記述子４３３の再生の指示を出す。
【０３１６】
図１５に示すように、再生されたファイル集合記述子４３３からＦＥ（ＲＯＯＴ）４４２の位置情報（論理アドレス）を取得できる。システム制御部３０１は、取得したＦＥ（ＲＯＯＴ）４４２の位置情報（論理アドレス）に基づいて、ドライブ装置３１０にＦＥ（ＲＯＯＴ）４４２の再生の指示を出す。
【０３１７】
ステップＳ２１４：指示を受け取ったドライブ装置３１０は、交替情報を参照し、ＦＥ（ＲＯＯＴ）４４２の位置情報（論理アドレス）にマッピングされているＦＥ（ＲＯＯＴ）７０２を再生し、再生されたＦＥ（ＲＯＯＴ）７０２をシステム制御部３０１に返信する。
【０３１８】
上述の通り、ＦＥ（ＲＯＯＴ）７０２は最新のＲＯＯＴディレクトリファイルを含むので、ＦＥ（Ｆｉｌｅ−ｃ）７０１の位置情報を持つ。
【０３１９】
ステップＳ２１５：ドライブ装置３１０は、データファイル（Ｆｉｌｅ−ｃ）７００を再生する。すなわち、ＦＥ（Ｆｉｌｅ−ｃ）７０１から得られたデータファイル（Ｆｉｌｅ−ｃ）７００の位置情報を参照して、ドライブ装置３１０に再生の指示を出す。
【０３２０】
データファイル（Ｆｉｌｅ−ｃ）７００の再生後、処理は、終了する。
【０３２１】
なお、本発明の実施の形態３の再生処理手順の説明においては、メタデータミラーファイルの扱いに関する説明を省略したが、必要に応じてメタデータファイルと同様にメタデータミラーファイルを記録、再生することがあり得る。
【０３２２】
本発明の実施の形態３の記録処理手順および再生処理手順によれば、データファイルの逐次記録を行った場合にでも、効率の良いファイルの追記が可能となる。
【０３２３】
また、ファイル構造が特定のトラックにすべて記録されているので、高速にデータファイルへアクセスすることが可能となる。
【０３２４】
なお、第１メタデータファイル４４０の空き領域の大きさに応じて、第１メタデータパーティション４３０に新たなトラックを割り付けることがあり得る。例えば、第１メタデータファイル４４０の空き領域が無くなった場合には、第１メタデータパーティション４３０に新たなトラックを割り付け、第１メタデータパーティション４３０を拡張する。第１メタデータパーティション４３０を拡張する場合には、第１ＦＥ（メタデータファイル）４４１の更新が必要になるため、第１ＦＥ（メタデータファイル）４４１が疑似上書き記録されることがあり得る。
【０３２５】
なお、本発明の実施の形態３では、メタデータファイルを単一のトラックに割り付けたが、複数のトラックに割り付けることがあり得る。複数のトラックに割り付ける場合、各トラックをファイル構造のデータの種別（例えばＦＥとディレクトリファイル）毎に割り付けることがあり得る。なた、ディレクトリ階層に着目したトラック割当てを行うことも可能である。例えば、ＴＶの番組録画のような特定の応用のためのデータを記録するディレクトリ階層を定めた上で、所定のディレクトリ下のファイルやディレクトリに対してトラック割り付けることがあり得る。その結果、特定の応用に従った利用時において、効率的なデータアクセスが可能となる。
【０３２６】
４．実施の形態４
以下、図を参照して、本発明の実施の形態４を説明する。本発明の実施の形態４では、本発明の実施の形態３において説明された記録処理手順とは異なる記録処理手順によって、図２３を参照して説明された追記型記録媒体１００にデータファイル（Ｆｉｌｅ−ｃ）を記録する。
【０３２７】
図２７は、本発明の実施の形態４の追記型記録媒体１００のデータ構造を示す。図２７に示されたデータ構造は、本発明の実施の形態４において説明される記録処理手順によって、図２３を参照して説明された追記型記録媒体１００にデータファイル（Ｆｉｌｅ−ｃ）を記録することによって作成される。
【０３２８】
図２７に示されたデータ構造と図２４に示されたデータ構造との違いは、図２４に示されたデータ構造では、データファイル（Ｆｉｌｅ−ｃ）の記録に際して、疑似上書き記録の対象となったのが第１メタデータファイル４４０を構成するデータの一部（具体的にはＦＥ（ＲＯＯＴ）４４２の部分）であったのに対し、図２７に示されたデータ構造では、第１ＦＥ（メタデータファイル）４４１が疑似上書き記録の対象となっている点である。
【０３２９】
本発明の実施の形態４において、追記型記録媒体のボリューム構造およびファイル構造に含まれるデータ間の参照関係は、図１３および図１５を参照して説明された参照関係と同様であるため、その説明を省略する。
【０３３０】
本発明の実施の形態４における記録再生装置は、本発明の実施の形態２の「２−２．記録再生装置」において説明された構成と同様の構成を有する。したがって、その説明を省略する。
【０３３１】
さらに、本発明の実施の形態４における擬似上書き記録および空き領域管理は、本発明の実施の形態１の「１−２．擬似上書き記録」および「１−６．空き領域管理」において説明された方法と同様の方法によって実現可能であるため、それらの説明を省略する。
【０３３２】
４−１．記録処理手順
図２５を参照して説明した記録処理手順では、ステップＳ１１３でＦＥ（ＲＯＯＴ）４４２を疑似上書き記録することによりＲＯＯＴディレクトリの情報を更新したが、本発明の実施の形態４の記録処理手順では、ＦＥ（ＲＯＯＴ）４４２の更新後の情報であるＦＥ（ＲＯＯＴ）８００を第１メタデータパーティション４３０の未記録領域４４７に記録することによりＲＯＯＴディレクトリの情報を更新する。そして、ＦＥ（ＲＯＯＴ）４４２とＦＥ（ＲＯＯＴ）８００とを入れ替えて参照するよう、第１ＦＥ（メタデータファイル）４４１を更新する。
【０３３３】
この更新は、ＦＥに含まれるアロケーションディスクリプタを変更することにより実施可能である。具体的には、仮にＦＥ（ＲＯＯＴ）４４２の第１メタデータファイル４４０（すなわちパーティション４３０内）での相対的な論理アドレスが「２」であったとする。この相対的な論理アドレスは第１ＦＥ（メタデータファイル）４１１のアロケーションディスクリプタにより管理されているので、このアロケーションディスクリプタを変更し、ＦＥ（ＲＯＯＴ）８００の相対的な論理アドレス値を「２」にする。さらに、第１メタデータファイル４４０のうち情報が更新されなかった部分に対しては、論理アドレスが変わらないよう、他のアロケーションディスクリプタの値を調整する。
【０３３４】
これらのアロケーションディスクリプタを含んだ新たなＦＥ（メタデータファイル）８０１は、ＦＥ（ＲＯＯＴ）４４２に対して疑似上書き記録される。
【０３３５】
なお、ＦＥ（メタデータファイル）８０１の生成処理は、システム制御部３０１の指示のもと、第１メモリ回路３０２等を用いて実施される。
【０３３６】
４−２．再生処理手順
本発明の実施の形態４の再生処理手順は、図２６を参照して説明した本発明の実施の形態３の再生処理手順とほぼ同じである。ただし、疑似上書き記録されたデータが、本発明の実施の形態３の再生処理手順では、ＦＥ（ＲＯＯＴ）７０２であったのに対し、本発明の実施の形態４の再生処理手順では、ＦＥ（メタデータファイル）８０１である点が異なる。本発明の実施の形態４の再生処理手順においては、第１ＦＥ（メタデータファイル）４４１に対する再生指示があった場合は、ＦＥ（メタデータファイル）８０１が再生される。
【０３３７】
なお、上述の説明ではメタデータミラーファイルの扱いについては省略したが、メタデータファイルと同様に記録、再生を行えばよい。
【０３３８】
本発明の実施の形態４では、データファイルの逐次記録を行った場合にでも、効率の良いファイルの追記が可能となる。特に、本実施の形態では、疑似上書き記録の単位が常に第１ＦＥ（メタデータファイル）４４１となるので、特にデータ効率に優れる。
【０３３９】
また、第１メタデータファイル４４０に含まれるデータがすべてトラック＃１  ４０１ｂに存在し、内周交替領域１０６に配置されないので、第１メタデータファイル４４０を
連続的に再生することが可能となり、より高速にデータファイルへアクセスすることが可能となる。
【０３４０】
５．実施の形態５
本発明の実施の形態５では、本発明の実施の形態３および形態３とは異なる記録処理手順によって、図２３に示された追記型記録媒体１００にデータを記録する手順を説明する。
【０３４１】
図２８は、ＶＡＴ方式を用いて図２９に示したファイルおよびディレクトリ構造を記録した追記型記録媒体１００のデータ構造を示す。追記型記録媒体１００には、ファイル構造およびＶＡＴ構造を記録するためにトラック＃１  ９５０とトラック＃２  ９５１とが割り付けられている。
【０３４２】
図２８に示された追記型記録媒体１００のデータ構造から、メタデータファイルを用いたボリューム構造／ファイル構造に変換する処理を説明する。この変換処理は、複数の記録フォーマットが存在するＵＤＦ規格の下、追記型記録媒体１００に対する互換性を向上させる目的で実施される。
【０３４３】
図３０は、本発明の実施の形態５の変換処理によってデータ構造を変更することによって作成された追記型記録媒体１００を示す。
【０３４４】
変換処理によってボリューム構造が変換されている。ボリューム構造領域９００はＶＡＴ方式特有の形式を有するため、メタデータパーティションを記録し得る形式のボリューム構造領域１０００のデータを生成し、疑似上書き記録する。その結果、ボリューム構造の変換が実施される。
【０３４５】
また、ファイル構造を変換するために、ＦＥ（メタデータファイル）１０２１およびメタデータファイル１０２０を生成する。この場合には、ＶＡＴ方式の仮想アドレス空間のアドレス値と、メタデータパーティション１０１０のアドレス値が一致するようにＦＥ（メタデータファイル）１０２１のアロケーションディスクリプタを生成する。例えば、ファイル集合記述子４３３のＶＡＴ方式での仮想アドレス空間は「０」であるので、変換後のファイル集合記述子４３３のメタデータパーティション１０１０内のアドレスも「０」になるよう、ＦＥ（メタデータファイル）１０２１を生成する。また、ファイル集合記述子４３３が参照するＦＥ（ＲＯＯＴ）の仮想アドレスは「１」であるので、変換後もこの値が変化しないよう、メタデータパーティション１０１０内のアドレス「１」にＦＥ（ＲＯＯＴ）を配置する。
【０３４６】
本発明の実施の形態５の変換処理によれば、ＶＡＴ方式で記録されたファイル構造をそのまま活かしてメタデータファイルを用いたボリューム構造／ファイル構造への変換が行えるので、高速な変換および記録領域の有効活用が可能となる。
【０３４７】
以上、図を参照して、本発明の実施の形態１〜５を説明した。本発明の実施の形態１〜５の追記型記録媒体１００は、１層の記録面を有するが、追記型記録媒体１００が有する記録面は１層に限定されない。追記型記録媒体１００が有する記録面は複数層であり得る、
図３１は、２層の記録面を有する追記型記録媒体１００ｂのデータ構造を示す。追記型記録媒体１００ｂは、第１層Ｌ０と第２層Ｌ１とを有する。
【０３４８】
追記型記録媒体１００ｂの第１層Ｌ０と第２層Ｌ１とのそれぞれは追記型記録媒体１００とほぼ同じ構造を有する。追記型記録媒体１００ｂの第１層Ｌ０の最内周側にはリード
イン領域１０１が割り付けられている。追記型記録媒体１００ｂの第２層Ｌ１の最内周側にはリードアウト領域１０３ａが割り付けられている。さらに追記型記録媒体１００ｂの第１層Ｌ０の最外周には外周領域１０３ｂが割り付けられており、追記型記録媒体１００ｂの第２層Ｌ１の最外周には外周領域１０３ｃが割り付けられている。
リードイン領域１０１はディスク管理情報領域１０４を含み、外周領域１０３ｂは、ディスク管理情報領域１０５を含む。さらに、リードアウト領域１０３ａはディスク管理情報領域１０４ａを含み、外周領域１０３ｃは、ディスク管理情報領域１０５ａを含む。
【０３４９】
追記型記録媒体１００ｂの第１層Ｌ０には、交替領域１０６と交替領域１０７とが割り付けられており、追記型記録媒体１００ｂの第２層Ｌ１には、交替領域１０６ａと交替領域１０７ａとが割り付けられている。これらの交替領域の容量は記録媒体に応じて変更可能である。さらに、追記型記録媒体１００ｂの第１層Ｌ０には、ユーザ領域１０８が割り付けられており、追記型記録媒体１００ｂの第２層Ｌ１には、ユーザ領域１０８ａが割り付けられている。これらのユーザ領域は、論理的な連続的なアドレスを持つ１つのボリューム空間として扱われる。したがって、複数の記録面を有する追記型記録媒体は、論理的には１層の記録面を有する追記型記録媒体と同様に扱うことが可能となる。
【産業上の利用可能性】
【０３５０】
本発明は、ホスト装置とドライブ装置とを備え、ドライブ装置によって第１情報と第２情報とを関連付けるための関連情報を生成し、第２情報と関連情報とを追記型記録媒体に記録することができる。したがって、ホスト装置によって関連情報を生成することなく、関連情報を追記型記録媒体に記録することができる。その結果、論理的な空間上では、再生専用または書換型のファイル構造と同じとなり、マルチボーダ方式のような追記型特有のファイルシステムを用いること無く追記型記録媒体中へのデータ記録が可能となる。
【０３５１】
本発明は、ホスト装置とドライブ装置とを備え、ドライブ装置によって第１情報と第２情報とを関連付けるための関連情報に基づいて、追記型記録媒体から第２情報を再生することができる。したがって、ホスト装置によって第２情報を再生することなく、ドライブ装置によって第２情報を追記型記録媒体から再生することができる。その結果、論理的な空間上では、再生専用のファイル構造と同じとなり、再生専用記録媒体または書換型記録媒体用の再生動作を行うことしかできないシステムでも、追記型記録媒体中のデータ再生が可能となる。
【図面の簡単な説明】
【０３５２】
【図１Ａ】図１Ａは、本発明の実施の形態１の追記型記録媒体１００の外観を示す図である。
【図１Ｂ】図１Ｂは、本発明の実施の形態１の追記型記録媒体１００に記録されているデータのデータ構造の一例を示す図である。
【図２】図２は、追記型記録媒体１００のデータ構造の一例を示す図である。
【図３】図３は、追記型記録媒体１００のデータ構造の他の一例を示す図である。
【図４Ａ】図４Ａは、交替管理情報リスト１０００のデータ構造を示す図である。
【図４Ｂ】図４Ｂは、複数の交替管理情報のうちの１つの交替管理情報１０１０のデータ構造を示す図である。
【図５】図５は、本発明の実施の形態１の記録再生装置３００Ａを示す図である。
【図６】図６は、本発明の実施の形態１の記録処理手順を示す図である。
【図７】図７は、本発明の実施の形態１の再生処理手順を示す図である。
【図８Ａ】図８Ａは、順次記録方式による空き領域管理を説明するための図である。
【図８Ｂ】図８Ｂは、ランダム記録方式による空き領域管理を説明するための図である。
【図９Ａ】図９Ａは、セッション管理情報２００のデータ構造を示す図である。
【図９Ｂ】図９Ｂは、複数のトラック管理情報２１０のうちの１つのデータ構造を示す図である。
【図９Ｃ】図９Ｃは、空き領域管理情報２２０のデータ構造を示す図である。
【図１０】図１０は、ディスク構造情報１１００のデータ構造を示す図である。
【図１１】図１１は、追記型記録媒体１００に記録されたファイルおよびディレクトリ階層構造の一例を示す図である。
【図１２】図１２は、追記型記録媒体１００のデータ構造の他の一例を示す図である。
【図１３】図１３は、第１イメージデータ５００のデータ構造の一例を示す図である。
【図１４】図１４は、第１メタデータファイル４４０のデータ構造の他の一例を示す図である。
【図１５】図１５は、ボリューム構造およびファイル構造に含まれるデータ間の参照関係を示す図である。
【図１６Ａ】図１６Ａは、主ボリューム構造領域４１０のデータ構造の一例を示す図である。
【図１６Ｂ】図１６Ｂは、予備ボリューム構造領域４１１のデータ構造の一例を示す図である。
【図１７】図１７は、追記型記録媒体１００に記録されたファイルおよびディレクトリ階層構造の一例を示す図である。
【図１８】図１８は、追記型記録媒体１００のデータ構造の他の一例を示す図である。
【図１９】図１９は、第２イメージデータ６５０のデータ構造の一例を示す図である。
【図２０】図２０は、本発明の実施の形態２の記録再生装置３００Ｂを示す図である。
【図２１】図２１は、本発明の実施の形態２の記録処理手順を示すフローチャートである。
【図２２】図２２は、本発明の実施の形態２の再生処理手順を示すフローチャートである。
【図２３】図２３は、本発明の実施の形態３における追記型記録媒体１００のデータ構造の一例を示す図である。
【図２４】図２４は、本発明の実施の形態３における追記型記録媒体１００のデータ構造の一例を示す図である。
【図２５】図２５は、本発明の実施の形態３の記録処理手順を示すフローチャートである。
【図２６】図２６は、本発明の実施の形態３の再生処理手順を示すフローチャートである。
【図２７】図２７は、本発明の実施の形態４の追記型記録媒体１００のデータ構造を示す図である。
【図２８】図２８は、ＶＡＴ方式を用いてファイルおよびディレクトリ構造を記録した追記型記録媒体１００のデータ構造を示す図である。
【図２９】図２９は、追記型記録媒体１００に記録されたファイルおよびディレクトリ階層構造の一例を示す図である。
【図３０】図３０は、本発明の実施の形態５の変換処理によってデータ構造を変更することによって作成された追記型記録媒体１００を示す図である。
【図３１】図３１は、２層の記録面を有する追記型記録媒体１００ｂのデータ構造を示す図である。
【図３２】図３２は、従来の記録媒体１０１００の一例であるＤＶＤ−Ｒディスク上のフォーマット処理直後のデータを示す図である。
【図３３】図３３は、ファイルおよびディレクトリ構造のうちディレクトリ（Ｄｉｒ−Ａ）とデータファイル（Ｆｉｌｅ−ａ）とを記録する手順を説明する図である。
【図３４】図３４は、図１１に示すファイルおよびディレクトリ構造のうちのディレクトリ（Ｄｉｒ−Ｂ）とデータファイル（Ｆｉｌｅ−ｂ）との記録処理手順を説明する図である。
【図３５】図３５は、ファイルの再生動作を説明するフローチャートである。
【図３６】図３６は、特許文献２に開示されるコンピュータシステム１０２００とドライブ装置１０３００とを示す図である。
【図３７】図３７は、ライト・ワンス記録媒体１０４００のデータ構造を示す図である。
【図３８】図３８は、従来の記録方法による記録処理後の記録媒体上のデータ構造を示す図である。
【符号の説明】
【０３５３】
１００  追記型記録媒体
１０１  リードイン領域
１０２  データ領域
１０３  リードアウト領域
１０４  第１ディスク管理情報領域
１０５  第２ディスク管理情報領域
１０６  内周交替領域
１０７  外周交替領域
１０８  ユーザ領域
３００Ｂ  記録再生装置
３０１  システム制御部
３０２  第１メモリ回路
３０３  Ｉ／Ｏバス
３０４  磁気ディスク装置
３０５  ホスト装置
３１０  ドライブ装置
３１１  ドライブ制御部
３１２  第２メモリ回路
３１３  内部バス
３１４  記録再生部
４０１  第１イメージデータ
４０３  第１ファイル構造
４０５  第１ユーザファイル
４０７  第１アドレス情報
【図１Ａ】
0004753868.tif 000002
【図１Ｂ】
0004753868.tif 000003
【図２】
0004753868.tif 000004
【図３】
0004753868.tif 000005
【図４Ａ】
0004753868.tif 000006
【図４Ｂ】
0004753868.tif 000007
【図５】
0004753868.tif 000008
【図６】
0004753868.tif 000009
【図７】
0004753868.tif 000010
【図８Ａ】
0004753868.tif 000011
【図８Ｂ】
0004753868.tif 000012
【図９Ａ】
0004753868.tif 000013
【図９Ｂ】
0004753868.tif 000014
【図９Ｃ】
0004753868.tif 000015
【図１０】
0004753868.tif 000016
【図１１】
0004753868.tif 000017
【図１２】
0004753868.tif 000018
【図１３】
0004753868.tif 000019
【図１４】
0004753868.tif 000020
【図１５】
0004753868.tif 000021
【図１６Ａ】
0004753868.tif 000022
【図１６Ｂ】
0004753868.tif 000023
【図１７】
0004753868.tif 000024
【図１８】
0004753868.tif 000025
【図１９】
0004753868.tif 000026
【図２０】
0004753868.tif 000027
【図２１】
0004753868.tif 000028
【図２２】
0004753868.tif 000029
【図２３】
0004753868.tif 000030
【図２４】
0004753868.tif 000031
【図２５】
0004753868.tif 000032
【図２６】
0004753868.tif 000033
【図２７】
0004753868.tif 000034
【図２８】
0004753868.tif 000035
【図２９】
0004753868.tif 000036
【図３０】
0004753868.tif 000037
【図３１】
0004753868.tif 000038
【図３２】
0004753868.tif 000039
【図３３】
0004753868.tif 000040
【図３４】
0004753868.tif 000041
【図３５】
0004753868.tif 000042
【図３６】
0004753868.tif 000043
【図３７】
0004753868.tif 000044
【図３８】
0004753868.tif 000045